(57)【要約】  ＮＢ−ＩｏＴのための狭帯域測位参照信号（ＮＰＲＳ）を設定するためのシステムおよび方法が提供される。ネットワークノードが、ＦＤＤモードについての第１のＮＰＲＳビットマップおよび／またはＴＤＤモードについての第２のＮＰＲＳビットマップを含むＮＰＲＳ設定情報を生成および送信する。無線デバイスが、ＴＤＤモードについての第２のＮＰＲＳビットマップに従ってＮＰＲＳ設定を決定し、ＮＰＲＳ設定を使用して測定を実施することができる。【選択図】図６
2021513801.tif 000002
【特許請求の範囲】
【請求項１】
無線デバイスによって実施される方法であって、前記方法は、
セルについての狭帯域測位参照信号（ＮＰＲＳ）設定情報を受信することであって、前記ＮＰＲＳ設定情報が、周波数分割複信（ＦＤＤ）モードについての第１のＮＰＲＳビットマップと時分割複信（ＴＤＤ）モードについての第２のＮＰＲＳビットマップとのうちの少なくとも１つを含む、ＮＰＲＳ設定情報を受信することと、
前記セルがＴＤＤモードで動作すると決定したことに応答して、ＴＤＤモードについての前記第２のＮＰＲＳビットマップに従ってＮＰＲＳ設定を決定することと、
前記ＮＰＲＳ設定を使用して測定を実施することと
を含む、方法。
【請求項２】
前記無線デバイスがＴＤＤモードをサポートすることを指示する能力指示を送信することをさらに含む、請求項１に記載の方法。
【請求項３】
前記能力指示を送信することが、能力要求を受信したことに応答したものである、請求項２に記載の方法。
【請求項４】
ＴＤＤについての前記第２のＮＰＲＳビットマップが、短縮されたビットマップである、請求項１から３のいずれか一項に記載の方法。
【請求項５】
ＴＤＤについての前記第２のＮＰＲＳビットマップは、長さが１０ビットよりも小さい、請求項１から４のいずれか一項に記載の方法。
【請求項６】
前記ＮＰＲＳ設定を決定することが、前記第２のＮＰＲＳビットマップをサブフレーム番号にマッピングすることを含む、請求項１から５のいずれか一項に記載の方法。
【請求項７】
測定を実施することが、少なくとも１つの無線アクセスノードからの到達時間（ＴＯＡ）信号を推定することを含む、請求項１から６のいずれか一項に記載の方法。
【請求項８】
測定を実施することが、観測到達時間差（ＯＴＤＯＡ）測定を決定することを含む、請求項１から７のいずれか一項に記載の方法。
【請求項９】
少なくとも１つの測定報告を送信することをさらに含む、請求項１から８のいずれか一項に記載の方法。
【請求項１０】
前記無線デバイスが、狭帯域モノのインターネット（ＮＢ−ＩｏＴ）ＴＤＤダウンリンクキャリアに対して測定を実施するように設定されたＮＢ−ＩｏＴ  ＦＤＤデバイスである、請求項１から９のいずれか一項に記載の方法。
【請求項１１】
無線インターフェースと処理回路要素とを備える無線デバイスであって、
セルについての狭帯域測位参照信号（ＮＰＲＳ）設定情報を受信することであって、前記ＮＰＲＳ設定情報が、周波数分割複信（ＦＤＤ）モードについての第１のＮＰＲＳビットマップと時分割複信（ＴＤＤ）モードについての第２のＮＰＲＳビットマップとのうちの少なくとも１つを含む、ＮＰＲＳ設定情報を受信することと、
前記セルがＴＤＤモードで動作すると決定したことに応答して、ＴＤＤモードについての前記第２のＮＰＲＳビットマップに従ってＮＰＲＳ設定を決定することと、
前記ＮＰＲＳ設定を使用して測定を実施することと
を行うように設定された、無線デバイス。
【請求項１２】
前記無線デバイスがＴＤＤモードをサポートすることを指示する能力指示を送信するようにさらに設定された、請求項１１に記載の無線デバイス。
【請求項１３】
前記能力指示を送信することが、能力要求を受信したことに応答したものである、請求項１２に記載の無線デバイス。
【請求項１４】
ＴＤＤについての前記第２のＮＰＲＳビットマップが、短縮されたビットマップである、請求項１１から１３のいずれか一項に記載の無線デバイス。
【請求項１５】
ＴＤＤについての前記第２のＮＰＲＳビットマップは、長さが１０ビットよりも小さい、請求項１１から１４のいずれか一項に記載の無線デバイス。
【請求項１６】
前記ＮＰＲＳ設定を決定することが、前記第２のＮＰＲＳビットマップをサブフレーム番号にマッピングすることを含む、請求項１１から１５のいずれか一項に記載の無線デバイス。
【請求項１７】
測定を実施することが、少なくとも１つの無線アクセスノードからの到達時間（ＴＯＡ）信号を推定することを含む、請求項１１から１６のいずれか一項に記載の無線デバイス。
【請求項１８】
測定を実施することが、観測到達時間差（ＯＴＤＯＡ）測定を決定することを含む、請求項１１から１７のいずれか一項に記載の無線デバイス。
【請求項１９】
少なくとも１つの測定報告を送信するようにさらに設定された、請求項１１から１８のいずれか一項に記載の無線デバイス。
【請求項２０】
前記無線デバイスが、狭帯域モノのインターネット（ＮＢ−ＩｏＴ）ＴＤＤダウンリンクキャリアに対して測定を実施するように設定されたＮＢ−ＩｏＴ  ＦＤＤデバイスである、請求項１１から１９のいずれか一項に記載の無線デバイス。
【請求項２１】
ネットワークノードによって実施される方法であって、前記方法は、
セルに関連付けられた、狭帯域測位参照信号（ＮＰＲＳ）設定と、周波数分割複信（ＦＤＤ）モード情報および時分割複信（ＴＤＤ）モード情報のうちの１つとを取得することと、
前記セルがＴＤＤモードで動作すると決定したことに応答して、前記セルについてのＮＰＲＳ設定情報を生成することであって、前記ＮＰＲＳ設定情報がＴＤＤモードについてのＮＰＲＳビットマップを含む、ＮＰＲＳ設定情報を生成することと、
前記ＮＰＲＳ設定情報を無線デバイスに送信することと
を含む、方法。
【請求項２２】
前記無線デバイスがＴＤＤモードをサポートすることを指示する能力指示を受信することをさらに含む、請求項２１に記載の方法。
【請求項２３】
前記能力指示を受信することが、能力要求を送信したことに応答したものである、請求項２２に記載の方法。
【請求項２４】
前記ＮＰＲＳ設定情報を送信することが、測位要求を受信したことに応答したものである、請求項２１から２３のいずれか一項に記載の方法。
【請求項２５】
ＴＤＤモードについての前記ＮＰＲＳビットマップが、短縮されたビットマップである、請求項２１から２４のいずれか一項に記載の方法。
【請求項２６】
ＴＤＤモードについての前記ＮＰＲＳビットマップは、長さが１０ビットよりも小さい、請求項２１から２５のいずれか一項に記載の方法。
【請求項２７】
ＴＤＤモードについての前記ＮＰＲＳビットマップの前記長さが、ダウンリンクサブフレームの利用可能な数に少なくとも部分的に基づく、請求項２１から２６のいずれか一項に記載の方法。
【請求項２８】
前記ＮＰＲＳ設定情報は、ＮＰＲＳキャリアがアンカーキャリアであるかどうかの指示を含む、請求項２１から２７のいずれか一項に記載の方法。
【請求項２９】
ＴＤＤモードについての前記ＮＰＲＳビットマップを生成することが、ＴＤＤにおいてアップリンクのために使用されるサブフレームと、ＴＤＤのためのスペシャルサブフレームとのうちの少なくとも１つを除去することを含む、請求項２１から２８のいずれか一項に記載の方法。
【請求項３０】
ＴＤＤについての前記ＮＰＲＳビットマップを生成することが、狭帯域１次同期信号（ＮＰＳＳ）と狭帯域２次同期信号（ＮＳＳＳ）と狭帯域物理ブロードキャストチャネル（ＮＰＢＣＨ）とのうちの少なくとも１つのために使用されるサブフレームを除去することを含む、請求項２１から２９のいずれか一項に記載の方法。
【請求項３１】
受信された測定報告に従って前記無線デバイスについての測位推定値を導出することをさらに含む、請求項２１から３０のいずれか一項に記載の方法。
【請求項３２】
無線インターフェースと処理回路要素とを備えるネットワークノードであって、
セルに関連付けられた、狭帯域測位参照信号（ＮＰＲＳ）設定と、周波数分割複信（ＦＤＤ）モード情報および時分割複信（ＴＤＤ）モード情報のうちの１つとを取得することと、
前記セルがＴＤＤモードで動作すると決定したことに応答して、前記セルについてのＮＰＲＳ設定情報を生成することであって、前記ＮＰＲＳ設定情報がＴＤＤモードについてのＮＰＲＳビットマップを含む、ＮＰＲＳ設定情報を生成することと、
前記ＮＰＲＳ設定情報を無線デバイスに送信することと
を行うように設定された、ネットワークノード。
【請求項３３】
前記無線デバイスがＴＤＤモードをサポートすることを指示する能力指示を受信するようにさらに設定された、請求項３２に記載のネットワークノード。
【請求項３４】
前記能力指示を受信することが、能力要求を送信したことに応答したものである、請求項３３に記載のネットワークノード。
【請求項３５】
前記ＮＰＲＳ設定情報を送信することが、測位要求を受信したことに応答したものである、請求項３２から３４のいずれか一項に記載のネットワークノード。
【請求項３６】
ＴＤＤモードについての前記ＮＰＲＳビットマップが、短縮されたビットマップである、請求項３２から３５のいずれか一項に記載のネットワークノード。
【請求項３７】
ＴＤＤモードについての前記ＮＰＲＳビットマップは、長さが１０ビットよりも小さい、請求項３２から３６のいずれか一項に記載のネットワークノード。
【請求項３８】
ＴＤＤモードについての前記ＮＰＲＳビットマップの前記長さが、ダウンリンクサブフレームの利用可能な数に少なくとも部分的に基づく、請求項３２から３７のいずれか一項に記載のネットワークノード。
【請求項３９】
前記ＮＰＲＳ設定情報は、ＮＰＲＳキャリアがアンカーキャリアであるかどうかの指示を含む、請求項３２から３８のいずれか一項に記載のネットワークノード。
【請求項４０】
ＴＤＤモードについての前記ＮＰＲＳビットマップを生成することが、ＴＤＤにおいてアップリンクのために使用されるサブフレームと、ＴＤＤのためのスペシャルサブフレームとのうちの少なくとも１つを除去することを含む、請求項３２から３９のいずれか一項に記載のネットワークノード。
【請求項４１】
ＴＤＤについての前記ＮＰＲＳビットマップを生成することが、狭帯域１次同期信号（ＮＰＳＳ）と狭帯域２次同期信号（ＮＳＳＳ）と狭帯域物理ブロードキャストチャネル（ＮＰＢＣＨ）とのうちの少なくとも１つのために使用されるサブフレームを除去することを含む、請求項３２から４０のいずれか一項に記載のネットワークノード。
【請求項４２】
受信された測定報告に従って前記無線デバイスについての測位推定値を導出するようにさらに設定された、請求項３２から４１のいずれか一項に記載のネットワークノード。
【発明の詳細な説明】
【技術分野】
【０００１】
関連出願の相互参照
本出願は、その内容全体が参照により本明細書に組み込まれる、２０１８年２月１４日に出願された米国仮出願第６２／６３０，５７６号の利益を主張する。
【０００２】
本開示は、一般に、無線通信および無線通信ネットワークに関する。
【背景技術】
【０００３】
序論
モノのインターネット（ＩｏＴ）は、接続から恩恵を受けることができるあらゆるものが接続されることになる将来の世界についてのビジョンである。ＩｏＴの世界、特にマシン型通信（ＭＴＣ）において役割を果たすように、セルラー技術が開発または発展されている。ＭＴＣは、たとえば、モバイルブロードバンドよりも、データレートに関してより低い需要によって特徴づけられるが、低コストデバイス設計、より良いカバレッジ、およびバッテリーを充電または交換することなしにバッテリーで何年も動作するアビリティ（ａｂｉｌｉｔｙ）などに関して、より高い要件を伴う。ＩｏＴ設計目標を満たすために、第３世代パートナーシッププロジェクト（３ＧＰＰ）などの規格化団体は、１８０ｋＨｚのシステム帯域幅を含め、改善されたカバレッジと、長いバッテリー寿命と、低複雑度通信設計と、大量のデバイスをサポートするのに十分であるネットワーク容量とをターゲットにするように、リリース１３において狭帯域ＩｏＴ（ＮＢ−ＩｏＴ）を規格化した。
【０００４】
ＮＢ−ＩｏＴの影響をさらに増加させるために、測位の狭帯域サポートを改善することが、リリース１４におけるＮＢ−ＩｏＴの一態様である。拡張は、適切な場合、リリース１３  ＮＢ−ＩｏＴユーザ機器（ＵＥ）の超低コストおよび複雑度、ならびにＮＢ−ＩｏＴネットワークのカバレッジおよび容量を維持するように設計されることになる。
【０００５】
ロケーションベースサービスおよび緊急呼測位が、無線ネットワークにおける測位の開発を推進する。３ＧＰＰ  Ｌｏｎｇ  Ｔｅｒｍ  Ｅｖｏｌｕｔｉｏｎ（ＬＴＥ）における測位サポートが、リリース９において導入された。これは、オペレータが、ロケーションベースサービスについての位置情報を取り出し、規制上の緊急呼測位要件を満たすことを可能にする。
【０００６】
ＬＴＥにおける測位は、ＬＴＥ測位プロトコル（ＬＰＰ）を介した、無線デバイス（ＵＥ１１０）と、エボルブドサービングモバイルロケーションセンタ（Ｅ−ＳＭＬＣ）１３０などのロケーションサーバとの間の対話を伴う、図１中のアーキテクチャによってサポートされる。その上、無線リソース制御（ＲＲＣ）プロトコルを介したｅノードＢ１２０と無線デバイス１１０との間の対話によってある程度までサポートされる、ＬＰＰａプロトコルを介したロケーションサーバ１３０と無線アクセスノード（ｅノードＢ１２０）との間の対話もある。モビリティ管理エンティティ（ＭＭＥ）１３２ネットワークノードとゲートウェイモバイルロケーションセンタ（ＧＭＬＣ）１３４ネットワークノードとの間のインターフェースも図１に示されている。
【０００７】
以下の測位技法が、ＬＴＥにおいて考慮される。
【０００８】
拡張セルＩＤ。ＵＥをサービングセルのサービングエリアに関連付けるためのセルＩＤ情報と、さらに、より細かいグラニュラリティ位置を決定するための追加情報。
【０００９】
支援ＧＮＳＳ（グローバルナビゲーション衛星システム）。Ｅ−ＳＭＬＣからＵＥに提供された支援情報によってサポートされる、ＵＥによって取り出されるＧＮＳＳ情報。
【００１０】
ＯＴＤＯＡ（観測到達時間差（Ｏｂｓｅｒｖｅｄ  Ｔｉｍｅ  Ｄｉｆｆｅｒｅｎｃｅ  ｏｆ  Ａｒｒｉｖａｌ））。ＵＥは、異なる基地局からの参照信号の時間差を推定し、マルチラテレーションのためにＥ−ＳＭＬＣに送る。
【００１１】
ＵＴＤＯＡ（アップリンクＴＤＯＡ）。ＵＥは、知られている位置における複数のロケーション測定ユニット（たとえば、ｅＮＢ）によって検出された特定の波形を送信することを要求される。これらの測定は、マルチラテレーションのためにＥ−ＳＭＬＣにフォワーディングされる。
【００１２】
ＬＴＥにおいて、ＯＴＤＯＡの基本概念は、ロケーション／測位サーバ、たとえばＥ−ＳＭＬＣ１３０がＵＥ１１０の位置を要求し、これが、ＵＥ１１０を、ｅＮＢ１２０などの複数の無線アクセスノードから受信された信号の到達時間（ＴＯＡ）を推定するようにトリガすることである。いくつかのネイバリングｅＮＢからのＴＯＡは、参照ｅＮＢ１２０からのＴＯＡから減算されて、ＵＥ１１０がネットワークに報告する観測到達時間差が形成される。これらの測定は、参照信号時間差（ＲＳＴＤ）測定として知られる。関与するｅＮＢの報告されたＲＳＴＤ測定と知られている位置とに基づいて、測位サーバ１３０は、マルチラテレーション技法を使用することによってＵＥ１１０の位置を推定することができる。
【発明の概要】
【００１３】
本開示の目的は、従来技術の少なくとも１つの欠点をなくすか、または緩和することである。
【００１４】
ＮＢ−ＩｏＴのための狭帯域測位参照信号（ＮＰＲＳ：Ｎａｒｒｏｗｂａｎｄ  Ｐｏｓｉｔｉｏｎｉｎｇ  Ｒｅｆｅｒｅｎｃｅ  Ｓｉｇｎａｌ）を設定するためのシステムおよび方法が提供される。
【００１５】
本開示の第１の態様では、無線デバイスによって実施される方法が提供される。無線デバイスは、処理回路要素を備え、セルについての狭帯域測位参照信号（ＮＰＲＳ）設定情報を受信することであって、ＮＰＲＳ設定情報が、周波数分割複信（ＦＤＤ）モードについての第１のＮＰＲＳビットマップおよび／または時分割複信（ＴＤＤ）モードについての第２のＮＰＲＳビットマップのうちの少なくとも１つを含む、ＮＰＲＳ設定情報を受信することを行うように設定され得る。セルがＴＤＤモードで動作すると決定したことに応答して、無線デバイスは、ＴＤＤモードについての第２のＮＰＲＳビットマップに従ってＮＰＲＳ設定を決定する。無線デバイスは、ＮＰＲＳ設定を使用して測定を実施することができる。
【００１６】
いくつかの実施形態では、無線デバイスは、無線デバイスがＴＤＤモードをサポートすることを指示する能力指示（ｃａｐａｂｉｌｉｔｉｅｓ  ｉｎｄｉｃａｔｉｏｎ）を送信する。能力指示を送信することは、能力要求（ｃａｐａｂｉｌｉｔｉｅｓ  ｒｅｑｕｅｓｔ）を受信したことに応答したものであり得る。
【００１７】
いくつかの実施形態では、ＴＤＤについての第２のＮＰＲＳビットマップは、短縮されたビットマップである。ＴＤＤについての第２のＮＰＲＳビットマップは、長さが１０ビットよりも小さくなり得る。
【００１８】
いくつかの実施形態では、ＮＰＲＳ設定を決定することは、第２のＮＰＲＳビットマップをサブフレーム番号にマッピングすることを含む。
【００１９】
いくつかの実施形態では、測定を実施することは、少なくとも１つの無線アクセスノードからの到達時間（ＴＯＡ）信号を推定することを含む。測定を実施することは、観測到達時間差（ＯＴＤＯＡ）測定を決定することを含むことができる。いくつかの実施形態では、無線デバイスは、少なくとも１つの測定報告を送信することができる。
【００２０】
いくつかの実施形態では、無線デバイスは、狭帯域モノのインターネット（ＮＢ−ＩｏＴ）ＴＤＤダウンリンクキャリアに対して測定を実施するように設定されたＮＢ−ＩｏＴ  ＦＤＤデバイスである。
【００２１】
本開示の別の態様では、ネットワークノードによって実施される方法が提供される。ネットワークノードは、処理回路要素を備え、セルに関連付けられた、狭帯域測位参照信号（ＮＰＲＳ）設定と、周波数分割複信（ＦＤＤ）モード情報および時分割複信（ＴＤＤ）モード情報のうちの１つとを取得するように設定され得る。セルがＴＤＤモードで動作すると決定したことに応答して、ネットワークノードは、セルについてのＮＰＲＳ設定情報を生成し、ＮＰＲＳ設定情報はＴＤＤモードについてのＮＰＲＳビットマップを含む。ネットワークノードは、ＮＰＲＳ設定情報を無線デバイスに送信する。
【００２２】
いくつかの実施形態では、ネットワークノードは、無線デバイスがＴＤＤモードをサポートすることを指示する能力指示を受信する。能力指示を受信することは、能力要求を送信したことに応答したものであり得る。
【００２３】
いくつかの実施形態では、ＮＰＲＳ設定情報を送信することは、測位要求を受信したことに応答したものである。
【００２４】
いくつかの実施形態では、ＴＤＤモードについてのＮＰＲＳビットマップは、短縮されたビットマップである。いくつかの実施形態では、ＴＤＤモードについてのＮＰＲＳビットマップは、長さが１０ビットよりも小さくなり得る。ＴＤＤモードについてのＮＰＲＳビットマップの長さは、ダウンリンクサブフレームの利用可能な数に少なくとも部分的に基づき得る。
【００２５】
いくつかの実施形態では、ＮＰＲＳ設定情報は、ＮＰＲＳキャリアがアンカーキャリアであるかどうかの指示を含むことができる。
【００２６】
いくつかの実施形態では、ＴＤＤモードについてのＮＰＲＳビットマップを生成することは、ＴＤＤにおいてアップリンクのために使用されるサブフレームと、ＴＤＤのためのスペシャルサブフレームとのうちの少なくとも１つを除去することを含む。ＴＤＤについてのＮＰＲＳビットマップを生成することは、狭帯域１次同期信号（ＮＰＳＳ）と狭帯域２次同期信号（ＮＳＳＳ）と狭帯域物理ブロードキャストチャネル（ＮＰＢＣＨ）とのうちの少なくとも１つのために使用されるサブフレームを除去することを含むことができる。
【００２７】
いくつかの実施形態では、ネットワークノードは、受信された測定報告に従って無線デバイスについての測位推定値を導出する。
【００２８】
本明細書で説明される様々な態様および実施形態は、代替的に、随意に、および／または加えて互いに組み合わせられ得る。
【００２９】
本開示の他の態様および特徴は、添付図とともに特定の実施形態の以下の説明を検討すると、当業者に明らかになろう。
【００３０】
次に、本開示の実施形態が、単に例として、添付の図を参照しながら説明される。
【図面の簡単な説明】
【００３１】
【図１】例示的なネットワークアーキテクチャを示す図である。
【図２】例示的な無線ネットワークを示す図である。
【図３】ＬＴＥ  ＴＤＤ設定の一例を示す図である。
【図４】ＮＢ−ＩｏＴ  ＴＤＤにおけるＮＰＳＳ、ＮＳＳＳ／ＳＩＢ１−ＮＢおよびＮＢＰＣＨの例示的なマッピングを示す図である。
【図５】例示的なＮＢ−ＩｏＴアンカーキャリア構造を示す図である。
【図６】無線デバイスにおいて実施され得る方法を示すフローチャートである。
【図７】ネットワークノードにおいて実施され得る方法を示すフローチャートである。
【図８】無線アクセスノードにおいて実施され得る方法を示すフローチャートである。
【図９】例示的な無線デバイスのブロック図である。
【図１０】モジュールをもつ例示的な無線デバイスのブロック図である。
【図１１】例示的な無線アクセスノードのブロック図である。
【図１２】モジュールをもつ例示的な無線アクセスノードのブロック図である。
【図１３】例示的なネットワークノードのブロック図である。
【図１４】モジュールをもつ例示的なネットワークノードのブロック図である。
【発明を実施するための形態】
【００３２】
以下に記載される実施形態は、当業者が本実施形態を実践することを可能にするための情報を表す。添付の図面に照らして以下の説明を読むと、当業者は、説明の概念を理解し、本明細書では特に扱われないこれらの概念の適用例を認識されよう。これらの概念および適用例は、その説明の範囲内に入ることを理解されたい。
【００３３】
以下の説明では、多数の具体的な詳細が記載されている。ただし、実施形態は、これらの具体的な詳細なしに実践され得ることを理解されたい。他の事例では、よく知られている回路、構造および技法は、その説明の理解を不明瞭にしないために詳細に示されていない。当業者は、含まれた説明を用いて、過度の実験なしに適切な機能性を実装することが可能になる。
【００３４】
「一実施形態（ｏｎｅ  ｅｍｂｏｄｉｍｅｎｔ）」、「一実施形態（ａｎ  ｅｍｂｏｄｉｍｅｎｔ）」、「例示的な実施形態」などへの本明細書における言及は、説明される実施形態が、特定の特徴、構造、または特性を含み得ることを指示するが、あらゆる実施形態が、必ずしも、特定の特徴、構造、または特性を含むとは限らないことがある。その上、そのような句は必ずしも同じ実施形態を指しているとは限らない。さらに、特定の特徴、構造、または特性が実施形態に関して説明されるとき、明示的に説明されるか否かにかかわらず、他の実施形態に関してそのような特徴、構造、または特性を実装することは当業者の知識内にあることが具申される。
【００３５】
いくつかの実施形態では、「ユーザ機器」（ＵＥ）という非限定的な用語が使用され、「ユーザ機器」（ＵＥ）は、セルラーまたはモバイルまたは無線通信システムにおいてネットワークノードおよび／または別のＵＥと通信することができる任意のタイプの無線デバイスを指すことがある。ＵＥの例は、ターゲットデバイス、デバイスツーデバイス（Ｄ２Ｄ）ＵＥ、マシン型ＵＥ、またマシンツーマシン（Ｍ２Ｍ）通信が可能なＵＥ、携帯情報端末、タブレット、モバイル端末、スマートフォン、ラップトップ組込み装備（ＬＥＥ：ｌａｐｔｏｐ  ｅｍｂｅｄｄｅｄ  ｅｑｕｉｐｐｅｄ）、ラップトップ搭載機器（ＬＭＥ：ｌａｐｔｏｐ  ｍｏｕｎｔｅｄ  ｅｑｕｉｐｍｅｎｔ）、ＵＳＢドングル、ＰｒｏＳｅ  ＵＥ、Ｖ２Ｖ  ＵＥ、Ｖ２Ｘ  ＵＥ、ＭＴＣ  ＵＥ、ｅＭＴＣ  ＵＥ、ＦｅＭＴＣ  ＵＥ、ＵＥ  Ｃａｔ０、ＵＥ  Ｃａｔ  Ｍ１、狭帯域ＩｏＴ（ＮＢ−ＩｏＴ）ＵＥ、ＵＥ  Ｃａｔ  ＮＢ１などである。ＵＥの例示的な実施形態が、図９に関して以下でより詳細に説明される。
【００３６】
いくつかの実施形態では、「ネットワークノード」という非限定的な用語が使用され、「ネットワークノード」は、セルラーまたはモバイルまたは無線通信システムにおいてＵＥおよび／または別のネットワークノードと通信することができる任意のタイプの無線アクセスノード（または無線ネットワークノード）または任意のネットワークノードに対応することができる。ネットワークノードの例は、ノードＢ、ＭｅＮＢ、ＳｅＮＢ、ＭＣＧまたはＳＣＧに属するネットワークノード、基地局（ＢＳ）、マルチスタンダード無線（ＭＳＲ）ＢＳなどのＭＳＲ無線アクセスノード、ｅノードＢ、ネットワークコントローラ、無線ネットワークコントローラ（ＲＮＣ）、基地局コントローラ（ＢＳＣ）、リレー、ドナーノード制御リレー、基地トランシーバ局（ＢＴＳ）、アクセスポイント（ＡＰ）、送信ポイント、送信ノード、ＲＲＵ、ＲＲＨ、分散アンテナシステム（ＤＡＳ）におけるノード、コアネットワークノード（たとえばＭＳＣ、ＭＭＥなど）、Ｏ＆Ｍ、ＯＳＳ、自己組織化ネットワーク（ＳＯＮ）、測位ノード（たとえばＥ−ＳＭＬＣ）、ＭＤＴ、テスト機器などである。ネットワークノードの例示的な実施形態が、図１１および図１３に関して以下でより詳細に説明される。
【００３７】
いくつかの実施形態では、「無線アクセス技術」（ＲＡＴ）という用語は、任意のＲＡＴ、たとえば、ＵＴＲＡ、Ｅ−ＵＴＲＡ、狭帯域モノのインターネット（ＮＢ−ＩｏＴ）、ＷｉＦｉ、Ｂｌｕｅｔｏｏｔｈ、次世代ＲＡＴ（ＮＲ）、４Ｇ、５Ｇなどを指す。第１のノードおよび第２のノードのいずれも、単一のＲＡＴまたは複数のＲＡＴをサポートすることが可能であり得る。
【００３８】
本明細書で使用される「無線ノード」という用語は、無線デバイスまたはネットワークノードを示すために使用され得る。
【００３９】
いくつかの実施形態では、ＵＥは、ダウンリンク（ＤＬ）方向およびアップリンク（ＵＬ）方向のうちの少なくとも１つにおける２つまたはそれ以上のキャリアのアグリゲーションを暗示するキャリアアグリゲーション（ＣＡ）において動作するように設定され得る。ＣＡを用いると、ＵＥは複数のサービングセルを有することができ、本明細書の「サービング」という用語は、ＵＥが、対応するサービングセルを伴って設定され、サービングセル上で、たとえば、ＰＣｅｌｌ上でまたはＳＣｅｌｌのいずれか上でネットワークノードからデータを受信し、および／またはネットワークノードにデータを送信し得ることを意味する。データは、物理チャネル、たとえば、ＤＬにおけるＰＤＳＣＨ、ＵＬにおけるＰＵＳＣＨなどを介して送信または受信される。コンポーネントキャリア（ＣＣ）は、互換的にキャリアまたはアグリゲートされたキャリアとも呼ばれ、ＰＣＣまたはＳＣＣは、たとえば、ＵＥにＲＲＣ設定メッセージを送ることによって、上位レイヤシグナリングを使用して、ネットワークノードによってＵＥにおいて設定される。設定されたＣＣは、設定されたＣＣのサービングセル上で（たとえば、ＰＣｅｌｌ、ＰＳＣｅｌｌ、ＳＣｅｌｌなどの上で）ＵＥをサーブするためにネットワークノードによって使用される。設定されたＣＣはまた、ＣＣ上で動作しているセル、たとえば、ＰＣｅｌｌ、ＳＣｅｌｌまたはＰＳＣｅｌｌ、およびネイバリングセル上で１つまたは複数の無線測定（たとえば、ＲＳＲＰ、ＲＳＲＱなど）を実施するためにＵＥによって使用される。
【００４０】
いくつかの実施形態では、ＵＥはまた、デュアルコネクティビティ（ＤＣ）またはマルチコネクティビティ（ＭＣ）において動作することができる。マルチキャリアまたはマルチキャリア動作はＣＡ、ＤＣ、ＭＣなどのいずれかであり得る。「マルチキャリア」という用語は、互換的に帯域組合せと呼ばれることもある。
【００４１】
本明細書で使用される「無線測定」という用語は、無線信号に対して実施される任意の測定を指し得る。無線測定は絶対的または相対的であり得る。無線測定は、たとえば、周波数内、周波数間、ＣＡなどであり得る。無線測定は、単方向（たとえば、ＤＬまたはＵＬ、あるいはサイドリンク上のいずれかの方向において）または双方向（たとえば、ＲＴＴ、Ｒｘ−Ｔｘなど）であり得る。無線測定のいくつかの例：タイミング測定（たとえば、伝搬遅延、ＴＯＡ、タイミングアドバンス、ＲＴＴ、ＲＳＴＤ、Ｒｘ−Ｔｘなど）、角度測定（たとえば、到来角）、電力ベース測定またはチャネル品質測定（たとえば、パスロス、受信信号電力、ＲＳＲＰ、受信信号品質、ＲＳＲＱ、ＳＩＮＲ、ＳＮＲ、干渉電力、総干渉プラス雑音、ＲＳＳＩ、雑音電力、ＣＳＩ、ＣＱＩ、ＰＭＩなど）、セル検出またはセル識別、ＲＬＭ、ＳＩ読取りなど。測定は、各方向において１つまたは複数のリンク上で実施され、たとえば、ＲＳＴＤまたは相対ＲＳＲＰ、あるいは同じ（共有）セルの異なる送信ポイントからの信号に基づいて実施され得る。
【００４２】
本明細書で使用される「シグナリング」という用語は、（たとえば、ＲＲＣなどを介した）上位レイヤシグナリング、（たとえば、物理制御チャネルまたはブロードキャストチャネルを介した）下位レイヤシグナリング、またはそれらの組合せのいずれかを含み得る。シグナリングは暗示的または明示的であり得る。シグナリングは、さらに、ユニキャスト、マルチキャストまたはブロードキャストであり得る。シグナリングはまた、別のノードに直接であるか、または第３のノードを介し得る。
【００４３】
本明細書で使用される「時間リソース」という用語は、時間の長さに関して表される任意のタイプの物理リソースまたは無線リソースに対応し得る。時間リソースの例は、シンボル、タイムスロット、サブフレーム、無線フレーム、ＴＴＩ、インターリービング時間などを含む。「周波数リソース」という用語は、チャネル帯域幅内のサブバンド、サブキャリア、キャリア周波数、周波数帯域を指し得る。「時間および周波数リソース」という用語は、時間リソースと周波数リソースとの任意の組合せを指し得る。
【００４４】
ＵＥ動作のいくつかの例は、ＵＥ無線測定（上記の「無線測定」という用語を参照）、ＵＥ送信を用いた双方向測定、セル検出または識別、ビーム検出または識別、システム情報読取り、チャネル受信および復号、１つまたは複数の無線信号および／またはチャネルの少なくとも受信を伴う任意のＵＥ動作またはＵＥアクティビティ、セル変更または（再）選択、ビーム変更または（再）選択、モビリティ関係動作、測定関係動作、無線リソース管理（ＲＲＭ）関係動作、測位プロシージャ、タイミング関係プロシージャ、タイミング調整関係プロシージャ、ＵＥロケーション追跡プロシージャ、時間追跡関係プロシージャ、同期関係プロシージャ、ＭＤＴ様プロシージャ、測定収集関係プロシージャ、ＣＡ関係プロシージャ、サービングセルアクティブ化／非アクティブ化、ＣＣ設定／設定解除などを含む。
【００４５】
図２は、無線通信のために使用され得る無線ネットワーク１００の一例を示す。無線ネットワーク１００は、ＵＥ１１０Ａ〜１１０Ｂなどの無線デバイスと、相互接続ネットワーク１２５を介して１つまたは複数のコアネットワークノード１３０に接続された無線アクセスノード１２０Ａ〜１２０Ｂなどのネットワークノード（たとえば、ｅＮＢ、ｇＮＢなど）とを含む。ネットワーク１００は任意の好適な展開シナリオを使用することができる。カバレッジエリア１１５内のＵＥ１１０は、各々、無線インターフェース上で無線アクセスノード１２０と直接通信することが可能であり得る。いくつかの実施形態では、ＵＥ１１０は、Ｄ２Ｄ通信を介して互いに通信することも可能であり得る。
【００４６】
一例として、ＵＥ１１０は、無線インターフェース上で無線アクセスノード１２０Ａと通信することができる。すなわち、ＵＥ１１０は、無線アクセスノード１２０Ａに無線信号を送信し、および／または無線アクセスノード１２０Ａから無線信号を受信することができる。無線信号は、ボイストラフィック、データトラフィック、制御信号、および／または任意の他の好適な情報を含んでいることがある。いくつかの実施形態では、無線アクセスノード１２０に関連付けられた無線信号カバレッジ１１５のエリアは、セルと呼ばれることがある。
【００４７】
相互接続ネットワーク１２５は、オーディオ、ビデオ、信号、データ、メッセージなど、または前述の任意の組合せを送信することが可能な任意の相互接続システムを指すことがある。相互接続ネットワーク１２５は、公衆交換電話網（ＰＳＴＮ）、パブリックまたはプライベートデータネットワーク、ローカルエリアネットワーク（ＬＡＮ）、メトロポリタンエリアネットワーク（ＭＡＮ）、ワイドエリアネットワーク（ＷＡＮ）、インターネット、有線または無線ネットワークなどのローカル、地域、またはグローバル通信またはコンピュータネットワーク、企業イントラネット、あるいはそれらの組合せを含む任意の他の好適な通信リンクの全部または一部分を含むことができる。
【００４８】
いくつかの実施形態では、ネットワークノード１３０は、ＵＥ１１０のための通信セッションの確立および他の様々な機能性を管理するコアネットワークノード１３０であり得る。コアネットワークノード１３０の例は、モバイルスイッチングセンタ（ＭＳＣ）、ＭＭＥ、サービングゲートウェイ（ＳＧＷ）、パケットデータネットワークゲートウェイ（ＰＧＷ）、運用保守（Ｏ＆Ｍ：ｏｐｅｒａｔｉｏｎ  ａｎｄ  ｍａｉｎｔｅｎａｎｃｅ）、運用サポートシステム（ＯＳＳ：ｏｐｅｒａｔｉｏｎｓ  ｓｕｐｐｏｒｔ  ｓｙｓｔｅｍ）、ＳＯＮ、測位ノード（たとえば、拡張サービングモバイルロケーションセンタ（Ｅ−ＳＭＬＣ：Ｅｎｈａｎｃｅｄ  Ｓｅｒｖｉｎｇ  Ｍｏｂｉｌｅ  Ｌｏｃａｔｉｏｎ  Ｃｅｎｔｅｒ））、ＭＤＴノードなどを含むことができる。ＵＥ１１０は、非アクセス層レイヤを使用していくつかの信号をコアネットワークノードと交換することができる。非アクセス層シグナリングでは、ＵＥ１１０とコアネットワークノード１３０との間の信号が無線アクセスネットワークを通して透過的に受け渡され得る。いくつかの実施形態では、無線アクセスノード１２０は、ノード間インターフェース上で１つまたは複数のネットワークノードとインターフェースすることができる。
【００４９】
いくつかの実施形態では、ネットワークノード１３０は、Ｅ−ＳＭＬＣなどのロケーションサーバ１３０であり得る。ロケーションサーバ１３０は、図１に示されたように、ＵＥ１１０、無線アクセスノード１２０および／または他のネットワークノードと直接または間接的に信号を交換することができる。
【００５０】
時分割複信（ＴＤＤ）動作のサポートをＮＢ−ＩｏＴに導入することが考慮されてきた。１つの目標は、ＮＢ−ＩｏＴの帯域内動作モード、ガード帯域動作モード、およびスタンドアロン動作モードのＴＤＤサポートを指定することである。設計は、ＵＬ補償ギャップがＵＥによって必要とされないと仮定し、展開モードの間の共通設計に向けて努力するものとする。これは、ＲＡＮ１によって考慮されるべきＭＣＬおよび／またはレイテンシおよび／または容量のターゲットの緩和を含むことができる。ベースラインは、３ＧＰＰリリース１３  ＮＢ−ＩｏＴと同様の特徴をサポートすることであり、さらにスモールセルシナリオを考慮する。
【００５１】
ベースラインに加えて、以下がサポートされ得る。
・  リリース１４周波数分割複信（ＦＤＤ）設計に基づく、
・  Ｒｅｌ−１４  ＮＰＲＳ  ＲＥパターンおよびシーケンスを使用するＯＴＤＯＡ測位。サブフレーム設定パートＡおよびパートＢは、もしあれば、必要な補正とともに使用されるものとする。
・  ページングおよびランダムアクセスのための非アンカーキャリア動作
・  ＦＤＤと同じＴＢＳテーブルと、１つおよび２つのＵＬ／ＤＬ  ＨＡＲＱプロセスのサポートとを伴うＵＥカテゴリーＮＢ２。ＵＥによる２つのＵＬ／ＤＬ  ＨＡＲＱプロセスのサポートは、Ｃａｔ  ＮＢ２、すなわち、ＦＤＤと同じやり方にとって利用可能な随意の能力である。
・  システム情報（ＭＩＢ−ＮＢおよび任意のＳＩＢ−ＮＢ）のための非アンカーキャリア動作が考慮され得る。
・  帯域４１についての帯域固有の要件を指定する。
【００５２】
上記の目標から、リリース１５  ＮＢ−ＩｏＴ  ＴＤＤ測位設計は、リリース１４  ＦＤＤ設計に部分的に基づき、リリース１４  ＮＰＲＳ  ＲＥパターンおよびシーケンスを使用すると見なされ得る。ＮＢ−ＩｏＴ  ＦＤＤでは、ＮＲＰＳサブフレームは、いわゆるパートＡおよび／またはパートＢを使用することによって設定される。パートＡは、ＮＰＲＳサブフレームを設定するためにビットマップを使用し、パートＢは、連続するダウンリンクＮＰＲＳサブフレームの数ＮＮＰＲＳと、ＮＰＲＳサブフレームの周期性ＴＮＰＲＳと、αＴＮＰＲＳによって指示される開始サブフレームのオフセットとを指定する。ここで、ＮＮＰＲＳ∈｛１０，２０，４０，８０，１６０，３２０，６４０，１２８０｝、ＴＮＰＲＳ∈｛１６０，３２０，６４０，１２８０｝ｍｓ、および
2021513801.tif 000003
である。
【００５３】
ＮＢ−ＩｏＴの従来のＯＴＤＯＡ測位サポートはＦＤＤシステムの場合のみ提供され、したがって、ＮＰＲＳに基づく測位推定を提供するためのＴＤＤベースのＵＥおよび／またはネットワークの規格化サポートが欠如している。
【００５４】
ＮＢ−ＩｏＴ  ＴＤＤのＤＬ設計がＮＢ−ＩｏＴ  ＦＤＤ設計と比較していくらかの差を有するので、ＮＢ−ＩｏＴ  ＦＤＤにおける従来のＮＰＲＳ設定のすべての原理が直接適用され得るとは限らないことが諒解されよう。
【００５５】
本明細書のいくつかの実施形態は、ＮＢ−ＩｏＴ  ＴＤＤについてのＮＢ−ＩｏＴ  ＮＰＲＳを設定するための機構について説明する。いくつかの実施形態は、ＮＢ−ＩｏＴ  ＴＤＤ設計を考慮し、ＯＴＤＯＡ測位のためにＵＥをセットアップするためにＬＰＰシグナリングオーバーヘッドを最小限に抑える。本明細書で提供される実施形態がなければ、ＵＥは、正確に、および正しい時間インスタンスにおいてＮＰＲＳを受信することが可能でないことがある。これは、緊急適用例と非緊急適用例の両方にとって重要であり得る、失敗した測位プロシージャおよび／または不正確なＵＥロケーションにつながり得る。
【００５６】
本明細書で説明されるいくつかの実施形態によれば。
【００５７】
無線デバイス（たとえば、ＵＥ、ＮＢ−ＩｏＴデバイスなど）は、ＴＤＤ測位参照信号設定を決定し、測位測定を実施するために、決定された設定を使用することができる。測定は、ネットワークノード（たとえば、Ｅ−ＳＭＬＣなどの無線アクセスノードまたは測位ノード）に報告され得るか、あるいは無線デバイス自体において、測位、ロケーションベースまたはロケーションアウェアのサービスまたはアプリケーションのために使用され得る。
【００５８】
ネットワークノード（たとえば、Ｅ−ＳＭＬＣなどのロケーション／測位ノード）は、ＵＥによって測定されるべき１つまたは複数のセルおよび／またはキャリアにおいてＴＤＤ測位参照信号設定を決定し、決定された設定に基づいて支援データを作成し、専用またはマルチキャスト／ブロードキャストシグナリングを介して、１つまたは複数のＵＥに支援データを送ることができる。一例では、決定することは、１つまたは複数の無線ネットワークノードまたはＯ＆Ｍからのシグナリングに基づき得る。ネットワークノードはまた、提供された支援データに基づいて１つまたは複数の測定値を受信し、それを、ＵＥロケーションを決定するために使用し得る。
【００５９】
無線ネットワークノード（たとえば、ｅノードＢ）が、１つまたは複数のＴＤＤ測位参照信号（たとえば、ＴＤＤ  ＮＰＲＳ）を設定および送信することができる。無線ネットワークノードは、無線ネットワークノードに関連付けられた１つまたは複数のセルおよび／またはキャリアにおいて設定されたＴＤＤ設定および／またはＴＤＤ  ＮＰＲＳ設定について、別のネットワークノード（たとえば、別のｅノードＢまたはＥ−ＳＭＬＣまたはＯ＆Ｍ）に暗黙的にまたは明示的に通知することができる。
【００６０】
ＴＤＤ測位参照信号のために使用され得る信号の一例は、ＮＢ−ＩｏＴ測位のために使用されるＴＤＤ  ＮＰＲＳであり、以下のうちの少なくとも１つによって特徴づけられる。
・  ＴＤＤ  ＮＰＲＳの信号シーケンスは、同じサブフレームインデックスについてのＦＤＤ  ＮＰＲＳのシーケンスとは異なり、
・  ＮＰＲＳはＴＤＤキャリア上で送信され、
・  サブフレーム中のＴＤＤ  ＮＰＲＳ信号の密度は、対応する展開モードにおけるＦＤＤ  ＮＰＲＳの密度とは異なり、
・  ＴＤＤ  ＮＢ−ＩｏＴキャリア上のＴＤＤ  ＮＰＲＳの設定のシグナリングは、ＦＤＤ  ＮＢ−ＩｏＴキャリア上のＦＤＤ  ＮＰＲＳの設定のシグナリングとは異なる。
【００６１】
ＴＤＤシステムでは、ＦＤＤシステムとは異なり、ＵＬとＤＬとは、同じキャリア周波数を共有している。図３は、ＬＴＥ規格によって説明されるような、利用可能なＬＴＥ  ＴＤＤ設定１４０を示し、ここで、ＤはＤＬサブフレームを指示し、ＵはＵＬサブフレームを指示し、Ｓはスペシャルサブフレームを指示する。ＮＢ−ＩｏＴ  ＴＤＤの場合、設定＃０をサポートすることなしに、ＬＴＥ  ＴＤＤと同じ無線フレーム構造が採用され得る。図３に示されているように、現在のＬＴＥシステムにおいて、サポートされる７つの異なるＴＤＤ設定がある（ＮＢ−ＩｏＴ  ＴＤＤが設定＃０をサポートしないことに留意されたい）。ＴＤＤ設定のうちの３つ（すなわち、設定＃３、＃４、および＃５）は、１０ｍｓに等しいダウンリンク−アップリンク切替え周期性を有し、これは、無線フレームごとに１つの「スペシャルサブフレーム」のみがあることを意味する。他のＴＤＤ設定のすべて（すなわち、設定＃０、＃１、＃２、および＃６）は、５ｍｓに等しいダウンリンク−アップリンク切替え周期性を使用し、ここで、あらゆる無線フレームごとに２つの「スペシャルサブフレーム」がある。「スペシャルサブフレーム」は、スペシャルサブフレーム設定に応じて可変長を有する３つのフィールド、すなわち、ダウンリンクパイロットタイムスロット（ＤｗＰＴＳ）、ガード期間（ＧＰ）、およびアップリンクパイロットタイムスロット（ＵｐＰＴＳ）からなる。ＵＬタイミングアドバンス（ＴＡ）により、「スペシャルサブフレーム」は、ＤＬ−ＵＬ間で切り替えるための準備時間をＵＥに与えるために、ＤＬサブフレームとＵＬサブフレームとの間に挿入される。
【００６２】
図４は、ＮＢ−ＩｏＴ  ＴＤＤ１５０についての狭帯域１次同期信号（ＮＰＳＳ）と狭帯域２次同期信号（ＮＳＳＳ）と狭帯域物理ブロードキャストチャネル（ＮＰＢＣＨ）とのマッピングを示す。図４は、ＤＬ送信を実施するために利用可能なままであるサブフレームに関するビューを提供し、それらのサブフレームは、原則としてＮＰＤＣＣＨ／ＮＰＤＳＣＨのために使用され得るか、またはそれらのサブフレームのいずれかが無効なものとして宣言されたとき、何らかの他のＤＬ信号（たとえば、ＮＰＲＳ）がそれらのサブフレームを利用することができる。
【００６３】
前に説明されたように、ＮＢ−ＩｏＴ  ＦＤＤでは、ＮＰＲＳサブフレームは、いわゆるパートＡおよび／またはパートＢを使用することによって設定される。パートＡは、ＮＰＲＳサブフレームを設定するためにビットマップを使用し、パートＢは、連続するＮＰＲＳサブフレームの数ＮＮＰＲＳと、ＮＰＲＳサブフレームの周期性ＴＮＰＲＳと、αＴＮＰＲＳによって指示される開始サブフレームのオフセットとを指定する。ここで、ＮＮＰＲＳ∈｛１０，２０，４０，８０，１６０，３２０，６４０，１２８０｝、ＴＮＰＲＳ∈｛１６０，３２０，６４０，１２８０｝ｍｓ、および
2021513801.tif 000004
である。
【００６４】
パートＡおよびパートＢはまた、ＯＴＤＯＡ測定のために使用されるキャリアの各々についてＮＢ−ＩｏＴ  ＴＤＤ  ＮＰＲＳの設定のために使用され得る。原則として、パートＡは、ＮＢ−ＩｏＴ  ＴＤＤにおいて直接適用され得る。ただし、ＮＢ−ＩｏＴ  ＴＤＤでは、ＤＬ  ＮＰＲＳ送信のために使用され得ないサブフレーム、すなわち、ＵＬサブフレームおよびスペシャルサブフレームが常にあることに留意されたい。ＤＬサブフレームのみを指示するビットマップを有することが好ましい。これは、各ＮＰＲＳキャリアのＮＰＲＳ設定が専用様式で各ＵＥにシグナリングされるので、ＯＴＤＯＡ測定のＬＰＰシグナリングオーバーヘッドを著しく低減することができる。
【００６５】
短縮されたＮＰＲＳビットマップ
【００６６】
アンカーキャリアについての短縮されたＮＰＲＳビットマップ
【００６７】
いくつかの実施形態では、ビットマップをシグナリングするためのオーバーヘッドは、ＮＰＲＳキャリアがアンカーキャリアであるか否かが指示され得る場合、さらに低減され得る。アンカーキャリアでは、ＮＰＳＳ、ＮＳＳＳ、ＮＰＢＣＨによって使用されるサブフレームも、ＮＰＲＳにとって利用可能でない。以下の説明は、アンカーキャリアのみに適用される。
【００６８】
図５は、ＮＢ−ＩｏＴのための例示的なアンカーキャリア構造１６０を示す。ＮＳＳＳサブフレーム、ＮＰＳＳサブフレーム、およびＮＢＰＣＨサブフレーム（すなわち、ＳＦ０、ＳＦ５、およびＳＦ９）は、ＮＰＲＳのために使用されないものとし、「Ｎ／Ａ」（利用可能でない）としてマークされている。ＳＦ２は、すべてのＴＤＤ設定のためのＵＬサブフレームであり、したがって、ＳＦ２はＮＰＲＳのために使用され得ない。したがって、例示的なアンカーキャリアの場合、「無効なサブフレーム」の役割を引き受けることができ（すなわち、ＮＢ−ＩｏＴ  ＴＤＤデータを送信するために無効であるが、ＮＰＲＳのような他の信号を送信するために有効な）、同時にＤＬサブフレームである（すなわち、ＴＤＤ設定に依存する）サブフレームは、ＳＦ３、ＳＦ４、ＳＦ７、およびＳＦ８のみであり、これは、ＮＰＲＳが、場合によっては、それらのサブフレームのみの上で受信され得ることを意味する。
【００６９】
ＮＢ−ＩｏＴ  ＴＤＤでは、いくつかのサブフレームのみが、ＤＬ  ＮＰＲＳ送信を送信するために使用され得ることが知られているとすれば、それらのＤＬサブフレームのみを指示するビットマップを有することが好ましい。これは、各ＮＰＲＳキャリアのＮＰＲＳ設定が専用様式で各ＵＥにシグナリングされるので、ＯＴＤＯＡ測定のＬＰＰシグナリングオーバーヘッドを低減することができる。
【００７０】
たとえば、いくつかの実施形態では、ＮＢ−ＩｏＴ  ＴＤＤのためのビットマップは、左（ＭＳＢ）から右（ＬＳＢ）に、それぞれサブフレーム＃３、＃４、＃７、および＃８にわたるマッピングを指示する４ビットのみからなることができ、ここで、ＮＰＲＳを含んでいないサブフレームは、「０」を用いて指示される。ＮＰＲＳを含んでいるサブフレームは、「１」を用いて指示される。ビット組合せの非限定的な例が、説明の目的で表１に示されている。
2021513801.tif 000005
【００７１】
非アンカーキャリアについての短縮されたＮＰＲＳビットマップ
【００７２】
同様に、いくつかの実施形態では、非アンカーキャリアについてのＮＰＲＳビットマップも短縮され得るが、非アンカーキャリアでは、ＮＰＲＳを受信するために使用され得るより多くのＤＬサブフレームがあるので、アンカーキャリアの場合ほどではない。たとえば、ＮＰＲＳを受信するための候補ＤＬサブフレームは、ＳＦ３、ＳＦ４、ＳＦ５、ＳＦ６、ＳＦ７、ＳＦ８、およびＳＦ９であり（すなわち、ＴＤＤ設定に依存する）、および非アンカーキャリアについて新しい合意に達したか否かに依存し得る（たとえば、ここまで、ＳＩＢ１が少なくともＳＦ＃０において非アンカーキャリア上で送信されることになることが合意されている）。したがって、非アンカーキャリア上では、ＮＰＲＳビットマップは、７ビットからなることができる。
【００７３】
アンカーキャリアおよび非アンカーキャリアのためのデュアルユーザビリティを伴う短縮されたＮＰＲＳビットマップ
【００７４】
いくつかの実施形態では、２つの意味を有する単一の短縮されたＮＰＲＳビットマップが、そのＮＰＲＳビットマップを使用しているキャリアがアンカーキャリアであるのか非アンカーキャリアであるのかに応じて、導入され得る。すなわち、短縮されたビットマップは４ビットからなるままであり得るが、ＮＰＲＳを含んでいるＤＬサブフレームに関するそのビットマップの解釈は、アンカーキャリアと非アンカーキャリアとについて異なるであろう。一例が、以下の表２に示されている。
2021513801.tif 000006
【００７５】
この例では、ＮＰＲＳを含んでいないサブフレームは、「０」を用いて指示される。ＮＰＲＳを含んでいるサブフレームは、「１」を用いて指示される。たとえば、非アンカーキャリアの場合、［ＳＦ７＆ＳＦ５］中で「１」を有することは、サブフレームＳＦ７とサブフレームＳＦ５の両方がＮＰＲＳを含んでいることを意味する。
【００７６】
したがって、いくつかの実施形態では、１つまたは複数のＴＤＤ測位参照信号（たとえば、ＴＤＤ  ＮＰＲＳ）を設定および送信する無線ネットワークノード（たとえば、ｅノードＢ）が提供される。無線ネットワークノードは、無線ネットワークノードに関連付けられた１つまたは複数のセルおよび／またはキャリアにおいて設定されたＴＤＤ設定および／またはＴＤＤ  ＮＰＲＳ設定について、別のネットワークノード（たとえば、別のｅノードＢまたはＥ−ＳＭＬＣまたはＯ＆Ｍ）に暗黙的にまたは明示的に通知することができる。
【００７７】
いくつかの実施形態では、ＮＰＲＳキャリアがＴＤＤキャリアであることを指示し、随意に、ＮＰＲＳキャリアのＴＤＤ設定を指示するネットワークノードが提供される。
【００７８】
いくつかの実施形態では、ＮＢ−ＩｏＴ  ＴＤＤ  ＯＴＤＯＡ測定の場合、ＮＰＲＳサブフレームを指示するためにビットマップがＵＥに送られる（シグナリングされる）。ビットマップの長さは、ＮＢ−ＩｏＴ  ＴＤＤ設定において、常にＮＰＲＳキャリアによる使用されたＴＤＤ設定のためのアップリンクおよびスペシャルサブフレームであるサブフレームを含めなかった後に、利用可能／使用可能のままであるＤＬサブフレームの利用可能な数に基づくことができる。このようにして、たとえば、ビットマップは、ある期間内のサブフレームのサブセットに関連付けられ得る（たとえば、１０ｍｓのビットマップは、１６ｍｓにわたる１０個のサブフレームに関連付けられ得る）。ビットマップは、ＮＢ−ＩｏＴ  ＴＤＤ設定における利用可能なＤＬサブフレームに基づく。ビットマップは、ネットワークノード（たとえば、Ｅ−ＳＭＬＣまたはｅノードＢ）によって作成／生成され、また、通常理解されるあらかじめ規定されたおよび／またはシグナリングされたルールに基づいて、ＵＥによって解釈され得る（たとえば、ＵＬおよび／またはスペシャルサブフレームが含まれず、別の例では、ビットマップは、特定のタイプのものであるかまたは特殊なプロパティを有しており、ＮＰＲＳに好適でないいくつかのＤＬサブフレームさえも含まないことがある）。ビットマップでは、ＮＰＲＳが送信される場合、ビットは１であり得、他の場合、ビットは０であり得る。
【００７９】
いくつかの実施形態では、ビットマップは、ＮＢ−ＩｏＴ  ＴＤＤ  ＯＴＤＯＡ測定におけるＮＰＲＳサブフレームが、スタンドアロン展開において１０ビットよりも小さいことを指示するためにＵＥに送られる。
【００８０】
いくつかの実施形態では、ビットマップは、ＮＢ−ＩｏＴ  ＴＤＤ  ＯＴＤＯＡ測定におけるＮＰＲＳサブフレームが、ガード帯域展開において１０ビットよりも小さいことを指示するためにＵＥに送られる。
【００８１】
いくつかの実施形態では、ビットマップは、ＮＢ−ＩｏＴ  ＴＤＤ  ＯＴＤＯＡ測定におけるＮＰＲＳサブフレームが、帯域内展開において４０ビットよりも小さいことを指示するためにＵＥに送られる。
【００８２】
いくつかの実施形態では、ＮＰＲＳキャリアがＮＢ−ＩｏＴ  ＴＤＤにおいてアンカーキャリアであるかどうかがシグナリングされる。
【００８３】
いくつかの実施形態では、ＮＢ−ＩｏＴ  ＴＤＤ  ＯＴＤＯＡ測定の場合、アンカーキャリア上でＮＰＲＳサブフレームを指示するために短縮されたビットマップがＵＥに送られる（シグナリングされる）。ビットマップの長さは、ＮＢ−ＩｏＴ  ＴＤＤ設定において、常にすべてのＴＤＤ設定のためのアップリンクであるサブフレームと、スペシャルサブフレームと、ＮＰＳＳ、ＮＳＳＳ、ＳＩＢ１−ＮＢ、およびＮＰＢＣＨのために使用されるサブフレームとを廃棄した後に、利用可能／使用可能のままであるＤＬサブフレームの利用可能な数に基づく。
【００８４】
いくつかの実施形態では、ＮＢ−ＩｏＴ  ＴＤＤ  ＯＴＤＯＡ測定の場合、それぞれ、アンカーキャリアおよび非アンカーキャリア上でＮＰＲＳサブフレームを指示するために２つの短縮されたビットマップがＵＥに送られる（シグナリングされる）。（１つまたは複数の）ビットマップの長さは、ＮＢ−ＩｏＴ  ＴＤＤ設定において、常にすべてのＴＤＤ設定のためのアップリンクであるサブフレームと、スペシャルサブフレームと、ＮＰＳＳ、ＮＳＳＳ、ＳＩＢ１−ＮＢ、およびＮＰＢＣＨのために使用されるサブフレームとを廃棄した後に、アンカーキャリアおよび非アンカーキャリア上で利用可能／使用可能のままであるＤＬサブフレームの利用可能な数に基づく。
【００８５】
いくつかの実施形態では、ＮＢ−ＩｏＴ  ＴＤＤ  ＯＴＤＯＡ測定の場合、それぞれ、アンカーキャリアおよび非アンカーキャリア上でＮＰＲＳサブフレームを指示するために単一の短縮されたビットマップがＵＥに送られる（シグナリングされる）。ビットマップの長さは、同じであるが、ＮＢ−ＩｏＴ  ＴＤＤ設定において、常にすべてのＴＤＤ設定のためのアップリンクであるサブフレームと、スペシャルサブフレームと、ＮＰＳＳ、ＮＳＳＳ、ＳＩＢ１−ＮＢ、およびＮＰＢＣＨのために使用されるサブフレームとを廃棄した後に、アンカーキャリアおよび非アンカーキャリア上で利用可能／使用可能のままであるＤＬサブフレームの利用可能な数に基づいて、アンカーキャリアおよび非アンカーキャリアによって別様に解釈される。
【００８６】
これらの実施形態によれば、ＮＰＲＳ  ＴＤＤ設定のための例示的なＬＰＰシグナリングメッセージが以下で示される。
2021513801.tif 000007
2021513801.tif 000008
【００８７】
いくつかの実施形態では、ＮＢ−ＩｏＴ  ＴＤＤ  ＯＴＤＯＡ測定の場合、ＮＢ−ＩｏＴ  ＴＤＤ設定はＵＥに送られる。設定は、キャリアおよび／またはセルごとであり得る。設定は、明示的または暗黙的ＮＢ−ＩｏＴ  ＴＤＤ設定であり得る。例示的な暗黙的設定は、ＴＤＤ設定をどのように決定すべきかに関する１つまたは複数の指示またはルール、たとえば、すべてのセルおよび／またはキャリアが、何らかのセル（たとえば、サービングセルまたは参照セル）またはキャリアと同じ設定を有するかどうかという指示を備え得る。設定は、ＵＥ専用様式で、またはマルチキャスト／ブロードキャスト、たとえば、ブロードキャスト測位支援データを介して、さらにはシステム情報において提供され得る。
【００８８】
いくつかの実施形態では、ＮＢ−ＩｏＴ  ＴＤＤ  ＯＴＤＯＡ測定の場合、ＵＥに送られるＮＢ−ＩｏＴ  ＴＤＤ設定は、ＮＰＲＳキャリアベースで行われる（すなわち、ＮＰＲＳキャリアごとに明示的にシグナリングされる）か、または同じ周波数におけるすべてのＮＰＲＳキャリアについて１回シングナリングする（異なるＮＰＲＳキャリア周波数は異なるＴＤＤ設定を有することができる）か、またはＵＥが測定する必要があるすべてのＮＰＲＳキャリアについて１回シングナリングするかのいずれかであり得る。
【００８９】
いくつかの実施形態では、ＮＢ−ＩｏＴ  ＴＤＤ設定がＵＥにシグナリングされない場合、ＵＥは、ＵＥが測定する必要がある（１つまたは複数の）ＮＰＲＳキャリアについてのＴＤＤ設定が、ＵＥがＬＰＰ設定を受信したセルと同じ設定を有すると仮定することができる。
【００９０】
いくつかの実施形態では、ＮＢ−ＩｏＴ  ＴＤＤ設定がＵＥにシグナリングされない場合、ＵＥは、ＵＥが測定する必要がある（１つまたは複数の）ＮＰＲＳキャリアについてのＴＤＤ設定が、ＵＥがＬＰＰ設定において受信した参照セルと同じ設定を有すると仮定することができる。
【００９１】
これはパートＢに関係するので、より多くの考慮事項が考慮される必要があり得る。ＮＢ−ＩｏＴ  ＦＤＤでは、ＤＬサブフレームは連続的であるが、ＮＢ−ＩｏＴ  ＴＤＤでは、ＤＬサブフレームは、ＵＬサブフレームおよびスペシャルサブフレームとインターレースされる。したがって、パートＢも採用された場合、パートＢによって提供される設定の解釈は明確化される必要がある。ＮＢ−ＩｏＴ  ＴＤＤ  ＤＬの不連続的性質により、これは、ＦＤＤと比較してＮＮＰＲＳ、ＴＮＰＲＳ、および／またはαの組合せのサブセットのサポートを生じ得る。
【００９２】
ＮＢ−ＩｏＴ  ＦＤＤでは、ＮＮＰＲＳは、ＮＰＲＳが送信されるとＵＥが仮定することができる連続するサブフレームの数を指示することに留意されたい。ただし、ＴＤＤでは、ＤＬとＵＬとが同じキャリア周波数を共有しており、ＤＬサブフレームとＵＬサブフレームとがインターレースされるので、ＤＬサブフレームは連続的でない。したがって、ＮＮＰＲＳの解釈は、ＴＤＤにおいて再規定されるべきである。ＮＮＰＲＳが、ＮＰＲＳを含んでいる連続するＤＬサブフレームの数を依然として指示すると仮定され得るが、これは、ＵＥが、ＤＬのために使用されないサブフレームを追跡し、ＤＬを延期しなければならないことを意味する。いくつかのセッティングでは、これは、２つのＮＰＲＳ期間の重複を生じることがあり、これはまた、ＵＥによって解決される必要がある。
【００９３】
したがって、パートＢ設定の周期性性質により、ＮＰＲＳサブフレームを設定するために使用されるＮＮＰＲＳ、ＴＮＰＲＳ、およびαにおいて、ＵＬサブフレームが計数されることは好ましいであろう。これは、ＮＰＤＣＣＨ探索空間の設定と同様の原理である。これは、ネットワークノードとＵＥの両方がＮＰＲＳ送信の開始時間を追跡するのをより容易にする。これは、ＤＬ  ＮＰＲＳサブフレームを追跡するＵＥ挙動を簡略化するだけでなく、ＦＤＤ設定の実装形態の大部分が、変更がほとんどまたはまったくなく適用され得るので、実装労力を低減する。
【００９４】
したがって、いくつかの実施形態では、パートＢがＮＢ−ＩｏＴ  ＴＤＤについてのＮＰＲＳ設定中に存在するとき、測位のために好適でなく、使用され得ないサブフレーム（たとえば、ＵＬサブフレームまたはスペシャルサブフレーム、さらには特定のタイプのＤＬサブフレーム、または特定のプロパティをもつＤＬサブフレーム）が（たとえば、周期性において）計数されるが、ＮＰＲＳサブフレームとして使用されない。
【００９５】
いくつかの実施形態では、パートＢがＮＢ−ＩｏＴ  ＴＤＤについてのＮＰＲＳ設定中に存在するとき、スペシャルサブフレームは計数されるが、ＮＰＲＳサブフレームのために使用されない。
【００９６】
一実施形態では、パートＢがＮＢ−ＩｏＴ  ＴＤＤについてのＮＰＲＳ設定中に存在するとき、（たとえば、ビットマップを使用することによって）ＮＰＲＳ送信のために有効でないと指示されるＤＬサブフレームは計数されるが、ＮＰＲＳサブフレームのために使用されないことが主張される。
【００９７】
さらに、ＵＥ能力により、ＮＢ−ＩｏＴ  ＦＤＤにおけるＯＴＤＯＡ  ＲＳＴＤ測定は、アイドルモードで実施される。これは、ＮＢ−ＩｏＴ  ＴＤＤ使用について、同じであると予想される。したがって、ＮＢ−ＩｏＴ  ＴＤＤ使用について、ＮＢ−ＩｏＴ  ＦＤＤキャリアを測定することが可能であり、その逆も同様である。この場合、特に、ＮＢ−ＩｏＴ  ＴＤＤシグナリングを理解しないことがあるレガシーＲｅｌ−１４  ＦＤＤ  ＵＥの場合、パートＡとパートＢとを一緒に使用することのみが可能である。この場合、パートＢは、ＮＰＲＳの周期性セッティングを指示するために使用され得、パートＡは、無線フレーム中のどのサブフレームが実際のＮＰＲＳ送信のために有効であるかを指示するために使用され得る。
【００９８】
いくつかの実施形態では、ＮＢ−ＩｏＴ  ＴＤＤ  ＵＥは、ＯＴＤＯＡ測位のためにＮＢ−ＩｏＴ  ＦＤＤダウンリンクキャリアにおけるＮＰＲＳに対して測定を実施するように設定され得る。
【００９９】
いくつかの実施形態では、ＮＢ−ＩｏＴ  ＦＤＤ  ＵＥは、ＯＴＤＯＡ測位のためにＮＢ−ＩｏＴ  ＴＤＤダウンリンクキャリアにおけるＮＰＲＳに対して測定を実施するように設定され得る。
【０１００】
いくつかの実施形態では、ビットマップ（すなわち、パートＡ）がＮＢ−ＩｏＴ  ＴＤＤについてのＮＰＲＳ設定を指示するためにパートＢとともにシグナリングされるとき、ＴＤＤ設定はシグナリングされない。これは、ＮＢ−ＩｏＴ  ＦＤＤ  ＵＥが測位のためにＮＢ−ＩｏＴ  ＴＤＤキャリアを測定することを可能にするためのものであり、これはまた、ＮＢ−ＩｏＴ  ＴＤＤ  ＵＥが、測位のためにＮＢ−ＩｏＴ  ＦＤＤキャリアを測定することを可能にする。
【０１０１】
いくつかの実施形態では、ＮＢ−ＴＤＤのためのＮＰＲＳ生成は、４の周波数再使用ファクタに基づいて選択され得る。これは、より密なＮＰＲＳ設定を提供することができ、すなわち、４の再使用ファクタが使用される場合、２つのみではなく、所与の時間における３つのシンボルを提供することができる。ＮＢ−ＴＤＤの場合、ＤＬリソース利用可能性が限定されるので、より密なＮＰＲＳ設定を有することが賢明であろう。４の周波数再使用を使用することは、ＮＰＲＳ測定のための妥当なネイバーセルを依然として提供し、さらに、干渉を最小限に抑えるためにミューティングが適用され得る。３ＧＰＰ  ＴＳ３６．２１１からの、ｍｏｄ６を用いた以下の式は、生成された信号をリソースエレメントにマッピングするために、ｍｏｄ４を用いて評価され得る。
ｋ＝６ｍ＋（６−ｌ＋ｖｓｈｉｆｔ）ｍｏｄ６
ここで、
2021513801.tif 000009
ｍ＝０，１
【０１０２】
図６は、ＵＥ１１０などの無線デバイス（たとえば、ターゲットデバイス）において実施され得る方法を示すフローチャートである。本方法は以下を含むことができる。
【０１０３】
ステップ２００：随意に、無線デバイスはネットワークノード（たとえば、ロケーションサーバ）に、随意にロケーションサーバからの能力要求メッセージによってトリガされる、ＴＤＤまたはＦＤＤをサポートすることにおける無線デバイスの能力について通知することができる。能力指示は、無線デバイスが測位および／または測定の（１つまたは複数の）あるタイプをサポートすることをさらに指示することができる。
【０１０４】
ステップ２１０：無線デバイスは、ロケーションサーバから少なくとも１つの参照および／またはネイバーセルＮＰＲＳ設定情報のリストを受信する。このシグナリングは、ネットワークベース測位要求トリガリングまたはＵＥベース測位要求トリガリングのいずれかに基づくことができる。設定情報は、ＦＤＤモードについての第１のＮＰＲＳビットマップおよび／またはＴＤＤモードについての第２のＮＰＲＳビットマップのうちの少なくとも１つを含むことができる。いくつかの実施形態では、情報は、１つのリストまたは２つの別個のリストとして、ＴＤＤ  ＮＰＲＳ設定をもつセル、および／またはＦＤＤ  ＮＰＲＳ設定をもつセルを含んでいることがある。いくつかの実施形態では、ＴＤＤについての第２のＮＰＲＳビットマップは、短縮されたビットマップであり得る（たとえば、長さがＦＤＤについての第１のＮＰＲＳビットマップよりも短くなり得る）。いくつかの実施形態では、ＴＤＤについての第２のＮＰＲＳビットマップは、長さが１０ビットよりも小さくなり得る。
【０１０５】
ステップ２２０：無線デバイスは、各セル、および／または各セルに関連付けられた（１つまたは複数の）無線ネットワークノードのＦＤＤ／ＴＤＤモードを決定する。いくつかの実施形態では、無線デバイスは、能力要求および／または指示に従って、セルがＴＤＤモードで動作すると決定することができる。いくつかの実施形態では、無線デバイスは、ネットワークノードからＴＤＤについての第２のＮＰＲＳビットマップを受信したことに従って、セルがＴＤＤモードで動作すると決定することができる。
【０１０６】
ステップ２３０：無線デバイスは、対応する決定されたＴＤＤ／ＦＤＤモードに従って、各セルについてのＮＰＲＳ設定を決定する。たとえば、セルがＦＤＤモードで動作すると決定したことに応答して、ＮＰＲＳ設定は、ＦＤＤモードについての第１のＮＰＲＳビットマップに従って決定され得る。代替的に、セルがＴＤＤモードで動作すると決定したことに応答して、ＮＰＲＳ設定は、ＴＤＤモードについての第２のＮＰＲＳビットマップに従って決定される。いくつかの実施形態では、ＮＰＲＳ設定を決定することは、ＮＰＲＳビットマップをサブフレーム番号にマッピングすることを含むことができる。いくつかの実施形態では、ネイバーセルのリストにおいて、無線デバイスは、無線ネットワークノードの信号がデバイスのロケーションにおいて測定可能である無線ネットワークノードのみを考慮し得る。
【０１０７】
ステップ２４０：無線デバイスは、決定されたＮＰＲＳ設定を使用して測定を実施する。たとえば、無線デバイスは、本明細書で説明されたような無線ネットワークノードのペア（参照セルおよびネイバーセル）の到達時間差を測定／推定することができる。（１つまたは複数の）測定は、デバイスがアイドルモードにある間、実施され得る。
【０１０８】
ステップ２５０：無線デバイスは、随意に、さらなる測位推定処理のために（１つまたは複数の）測定報告をロケーションサーバに送信する。ＵＥベース測位方法の場合、（１つまたは複数の）測定は、自己局在化を行うためにデバイス自体において使用され得る。
【０１０９】
上記のステップのうちの１つまたは複数が、同時におよび／または異なる順序で実施され得ることが諒解されよう。また、破線で示されているステップは、随意であり、いくつかの実施形態では省略され得る。
【０１１０】
図７は、ロケーションサーバ１３０などのネットワークノードにおいて実施され得る方法を示すフローチャートである。ロケーションサーバは、本明細書で説明されたようなＥ−ＳＭＬＣであり得る。本方法は以下を含むことができる。
【０１１１】
ステップ３００：ネットワークノードは、たとえば、各それぞれの無線アクセスノードから、少なくとも１つのセルに関連付けられたＮＰＲＳ設定情報とＴＤＤ／ＦＤＤモード情報とを取得する。
【０１１２】
ステップ３１０：随意に、ネットワークノードは、無線デバイスから、無線デバイスのＴＤＤ（またはＦＤＤ）モードサポートを指示する能力指示を取得する。随意に、能力指示は、ネットワークノードによって送信された能力要求メッセージに応答したものである。能力指示は、無線デバイスが測位および／または測定の（１つまたは複数の）あるタイプをサポートすることをさらに指示することができる。
【０１１３】
ステップ３２０：ネットワークノードは、（たとえば、参照セルおよびネイバーセルについての）少なくとも１つのＮＰＲＳ設定を無線デバイスに送信する。これは、測位要求を受信したことに応答して、別のネットワークノードによってトリガされるか、または無線デバイスによってトリガされるかのいずれかであり得る。ネットワークノードは、セルのＦＤＤ／ＴＤＤモードに従って、セルについてのＮＰＲＳ設定情報を生成することができる。たとえば、ＮＰＲＳ設定情報は、ＦＤＤモードについての第１のＮＰＲＳビットマップおよび／またはＴＤＤモードについての第２のＮＰＲＳビットマップを含むことができる。
【０１１４】
いくつかの実施形態では、ＴＤＤについてのＮＰＲＳビットマップは、短縮されたビットマップであり得る（たとえば、長さがＦＤＤについてのＮＰＲＳビットマップよりも短くなり得る）。いくつかの実施形態では、ＴＤＤについてのＮＰＲＳビットマップは、長さが１０ビットよりも小さくなり得る。いくつかの実施形態では、ＴＤＤモードについてのＮＰＲＳビットマップの長さは、ダウンリンクサブフレームの利用可能な数に少なくとも部分的に基づき得る。
【０１１５】
ステップ３３０：ネットワークノードは、随意に、無線デバイスから測定報告を取得する。測定報告は、到達時間差測定のリストを含むことができる。
【０１１６】
ステップ３４０：随意に、ネットワークノードは、受信された測定値に基づいて無線デバイスについての測位推定値を導出することができる。
【０１１７】
上記のステップのうちの１つまたは複数が、同時におよび／または異なる順序で実施され得ることが諒解されよう。また、破線で示されているステップは、随意であり、いくつかの実施形態では省略され得る。
【０１１８】
図８は、無線アクセスノード１２０などのネットワークノードにおいて実施され得る方法を示すフローチャートである。ネットワークノードは、本明細書で説明されたようなｅＮＢまたはｇＮＢであり得る。本方法は以下を含むことができる。
【０１１９】
ステップ４００：無線アクセスノードは、随意に、ロケーションサーバなど、別の（たとえば、第２の）ネットワークノードから、ＮＰＲＳ設定および／またはＦＤＤ／ＴＤＤモードサポートについての要求を受信することができる。
【０１２０】
ステップ４１０：無線アクセスノードは、次いで、無線アクセスノードのＮＰＲＳ設定およびＦＤＤ／ＴＤＤモードサポート情報を第２のネットワークノードに送信する。
【０１２１】
ステップ４２０：無線アクセスノードは、セットされた設定およびモードに基づいてＮＰＲＳを送信する。
【０１２２】
上記のステップのうちの１つまたは複数が、同時におよび／または異なる順序で実施され得ることが諒解されよう。また、破線で示されているステップは、随意であり、いくつかの実施形態では省略され得る。
【０１２３】
いくつかの実施形態では、アンカーキャリア上で、ＳＦ３、ＳＦ４、ＳＦ７、および／またはＳＦ８のみがＮＰＲＳを受信するために潜在的に使用され得ることが説明された。したがって、ビットマップは、４ビットからなることができる。
【０１２４】
代替的に、非アンカーキャリアの場合、ＤＬに関してより自由があり、ＮＰＲＳを受信するための候補サブフレームは、ＳＦ３、ＳＦ４、ＳＦ５、ＳＦ６、ＳＦ７、ＳＦ８、およびＳＦ９であり（すなわち、ＴＤＤ設定に依存する）、および非アンカーキャリアについて新しい合意に達したか否かに依存し得る（たとえば、ＳＩＢ１が少なくともＳＦ＃０において非アンカーキャリア上で送信されることになることが合意され得る）。
【０１２５】
また、ＴＤＤ設定ごとに、ＮＰＲＳに好適なＤＬの数に応じた異なる長さからなる１つのビットマップを有することが可能である。
【０１２６】
上記のことに基づいて、いくつかの代替形態が、ＴＤＤモードにおけるＮＰＲＳ設定表現について利用可能である。
【０１２７】
いくつかの実施形態では、４ビットからなる１つの短縮されたビットマップが導入され、アンカーキャリアと非アンカーキャリアの両方の上で使用可能である（すなわち、設定ごとに利用可能なものとしてＳＦ３、ＳＦ４、ＳＦ７、および／またはＳＦ８のみが、ＮＰＲＳを受信するために使用されるであろう）。これは、かなりのビット数を節約することを可能にするが、非アンカーキャリア上でいくつかの他の使用可能ＤＬサブフレームを活用することは可能でないであろう。ＮＰＲＳを受信するために４つの使用可能なＤＬサブフレームのみを有することは、サブフレームが少なすぎることがあること、およびいくつかの要件がパスされ得ないが、要件のうちのいくつかに対して緩和がある必要があることも言及され、これは、いずれの場合も、アンカーキャリアが、ＮＰＲＳのために使用可能なせいぜいＳＦ３、ＳＦ４、ＳＦ７、および／またはＳＦ８を有し、ＴＤＤ設定＃１などのいくつかの場合には、ＳＦ４のみがＮＰＲＳを受信するために使用可能であるからである。
【０１２８】
いくつかの実施形態では、２つの短縮されたビットマップが導入され、１つは、アンカーキャリアのための４ビットからなり、１つは、非アンカーキャリアのための７ビットからなる。このオプションは、アンカーキャリア上で利用可能であるものに一致し、非アンカーキャリア上の余分の利用可能なＤＬサブフレームのユーザビリティを活用する。欠点は、ビットマップがアンカーキャリアと非アンカーキャリアとについて統合されないことであり得るが、このオプションは、依然としてビットを節約することを可能にする。
【０１２９】
いくつかの実施形態では、４ビットからなる、単一の２つの意味の短縮されたビットマップが導入され、その解釈は、そのビットマップを使用しているキャリアがアンカーキャリアであるのか非アンカーキャリアであるのかに応じて異なるであろう。たとえば、アンカーキャリア上で、４ビットＮＰＲＳビットマップは、ＮＰＲＳを受信するための、ＳＦ３、ＳＦ４、ＳＦ７、および／またはＳＦ８の潜在的ユーザビリティを指すであろうが、非アンカーキャリア上で、同じ４ビットＮＰＲＳビットマップは、ＮＰＲＳを受信するための、ＳＦ３、ＳＦ４、ＳＦ７＋ＳＦ５、および／またはＳＦ８＋ＳＦ９の潜在的ユーザビリティを指すであろう。この代替形態は、単一の短縮されたＮＰＲＳビットマップを使用することによって、アンカーキャリア上の利用可能なＤＬサブフレームを利用することを可能にし、非アンカーキャリア上の余分の利用可能なＤＬサブフレームのユーザビリティを活用する。
【０１３０】
いくつかの実施形態では、アンカーキャリアと非アンカーキャリアの両方の上で使用可能な、ＴＤＤ設定ごとの１つのビットマップ（すなわち、６つのビットマップ）が導入され、ここで、各ビットマップは、ＤＬサブフレームの数に応じた異なる長さからなる。
【０１３１】
いくつかの実施形態では、ＮＢ−ＩｏＴフレーム構造に基づいて、ＮＰＲＳ設定についてのビットマップのシグナリングが再使用され得、変更は最小限に抑えられる。
【０１３２】
いくつかの実施形態は、ＴＤＤモードを可能にしながら、ＮＢ−ＩｏＴデバイスによって測定されるべきＦＤＤセル／キャリアとＴＤＤセル／キャリアの両方を有する可能性を提供することができる。
【０１３３】
いくつかの実施形態は、ＴＤＤ−ＯＴＤＯＡ能力特徴を提供するための最小の規格化およびシグナリングの影響を考慮する。
【０１３４】
図９は、いくつかの実施形態による、例示的な無線デバイス、ＵＥ１１０のブロック図である。いくつかの実施形態では、無線デバイス１１０は、ＮＢ−ＩｏＴデバイスであり得る。ＵＥ１１０は、トランシーバ５１０と、プロセッサ５２０と、メモリ５３０とを含む。いくつかの実施形態では、トランシーバ５１０は、（たとえば、（１つまたは複数の）送信機（Ｔｘ）、（１つまたは複数の）受信機（Ｒｘ）および（１つまたは複数の）アンテナを介して）無線アクセスノード１２０に無線信号を送信すること、および無線アクセスノード１２０から無線信号を受信することを容易にする。プロセッサ５２０は、ＵＥによって提供されるものとして上記で説明された機能性の一部または全部を提供するための命令を実行し、メモリ５３０は、プロセッサ５２０によって実行される命令を記憶する。いくつかの実施形態では、プロセッサ５２０およびメモリ５３０は、処理回路要素を形成する。
【０１３５】
プロセッサ５２０は、上記で説明されたＵＥ１１０の機能など、無線デバイスの説明された機能の一部または全部を実施するために、命令を実行し、データを操作するための、ハードウェアの任意の好適な組合せを含むことができる。いくつかの実施形態では、プロセッサ５２０は、たとえば、１つまたは複数のコンピュータ、１つまたは複数の中央処理ユニット（ＣＰＵ）、１つまたは複数のマイクロプロセッサ、１つまたは複数の特定用途向け集積回路（ＡＳＩＣ）、１つまたは複数のフィールドプログラマブルゲートアレイ（ＦＰＧＡ）および／または他の論理を含み得る。
【０１３６】
メモリ５３０は、概して、コンピュータプログラム、ソフトウェア、論理、ルール、アルゴリズム、コード、テーブルなどのうちの１つまたは複数を含むアプリケーション、および／またはプロセッサ５２０によって実行されることが可能な他の命令など、命令を記憶するように動作可能である。メモリ５３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、および／または、ＵＥ１１０のプロセッサ５２０によって使用され得る情報、データ、および／または命令を記憶する、任意の他の揮発性または不揮発性、非一時的コンピュータ可読および／またはコンピュータ実行可能メモリデバイスを含む。
【０１３７】
ＵＥ１１０の他の実施形態は、上記で説明された機能性および／または（上記で説明されたソリューションをサポートするのに必要な任意の機能性を含む）任意の追加の機能性のうちのいずれかを含む、無線デバイスの機能性のいくつかの態様を提供することを担当し得る、図９に示されている構成要素以外の追加の構成要素を含み得る。ほんの一例として、ＵＥ１１０は、プロセッサ５２０の一部であり得る、入力デバイスおよび回路、出力デバイス、ならびに１つまたは複数の同期ユニットまたは回路を含み得る。入力デバイスは、ＵＥ１１０へのデータのエントリのための機構を含む。たとえば、入力デバイスは、マイクロフォン、入力エレメント、ディスプレイなど、入力機構を含み得る。出力デバイスは、オーディオ、ビデオおよび／またはハードコピーフォーマットでデータを出力するための機構を含み得る。たとえば、出力デバイスは、スピーカー、ディスプレイなどを含み得る。
【０１３８】
いくつかの実施形態では、無線デバイスＵＥ１１０は、上記で説明された無線デバイスの機能性を実装するように設定された一連のモジュールを備え得る。図１０を参照すると、いくつかの実施形態では、無線デバイス１１０は、ＮＰＲＳ設定およびＦＤＤ／ＴＤＤモード情報を取得および設定するための設定モジュール５５０と、無線測定を実施するための測定モジュール５６０と、（１つまたは複数の）測定値をネットワークノードに報告するための報告モジュール５７０とを備え得る。
【０１３９】
様々なモジュールが、ハードウェアおよびソフトウェア、たとえば、図９に示されているＵＥ１１０のプロセッサ、メモリおよび（１つまたは複数の）トランシーバの組合せとして実装され得ることが諒解されよう。いくつかの実施形態は、追加のおよび／または随意の機能性をサポートするための追加のモジュールをも含み得る。
【０１４０】
図１１は、いくつかの実施形態による、例示的な無線アクセスノード１２０のブロック図である。無線アクセスノード１２０は、トランシーバ６１０、プロセッサ６２０、メモリ６３０、およびネットワークインターフェース６４０のうちの１つまたは複数を含み得る。いくつかの実施形態では、トランシーバ６１０は、（たとえば、（１つまたは複数の）送信機（Ｔｘ）、（１つまたは複数の）受信機（Ｒｘ）、および（１つまたは複数の）アンテナを介して）ＵＥ１１０などの無線デバイスに無線信号を送信すること、および無線デバイスから無線信号を受信することを容易にする。プロセッサ６２０は、無線アクセスノード１２０によって提供されるものとして上記で説明された機能性の一部または全部を提供するための命令を実行し、メモリ６３０は、プロセッサ６２０によって実行される命令を記憶する。いくつかの実施形態では、プロセッサ６２０およびメモリ６３０は、処理回路要素を形成する。ネットワークインターフェース６４０は、ゲートウェイ、スイッチ、ルータ、インターネット、公衆交換電話網（ＰＳＴＮ）、コアネットワークノードまたは無線ネットワークコントローラなど、バックエンドネットワーク構成要素に信号を通信することができる。
【０１４１】
プロセッサ６２０は、上記で説明された機能など、無線アクセスノード１２０の説明された機能の一部または全部を実施するために、命令を実行し、データを操作するための、ハードウェアの任意の好適な組合せを含むことができる。いくつかの実施形態では、プロセッサ６２０は、たとえば、１つまたは複数のコンピュータ、１つまたは複数の中央処理ユニット（ＣＰＵ）、１つまたは複数のマイクロプロセッサ、１つまたは複数の特定用途向け集積回路（ＡＳＩＣ）、１つまたは複数のフィールドプログラマブルゲートアレイ（ＦＰＧＡ）および／または他の論理を含み得る。
【０１４２】
メモリ６３０は、概して、コンピュータプログラム、ソフトウェア、論理、ルール、アルゴリズム、コード、テーブルなどのうちの１つまたは複数を含むアプリケーション、および／またはプロセッサ６２０によって実行されることが可能な他の命令など、命令を記憶するように動作可能である。メモリ６３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【０１４３】
いくつかの実施形態では、ネットワークインターフェース６４０は、プロセッサ６２０に通信可能に結合され、ノード１２０のための入力を受信するか、ノード１２０からの出力を送るか、入力または出力またはその両方の好適な処理を実施するか、他のデバイスに通信するか、あるいは前述の任意の組合せを行うように動作可能な任意の好適なデバイスを指し得る。ネットワークインターフェース６４０は、ネットワークを通して通信するために、適切なハードウェア（たとえば、ポート、モデム、ネットワークインターフェースカードなど）と、プロトコルコンバージョン能力およびデータ処理能力を含むソフトウェアとを含み得る。
【０１４４】
無線アクセスノード１２０の他の実施形態は、上記で説明された機能性および／または（上記で説明されたソリューションをサポートするのに必要な任意の機能性を含む）任意の追加の機能性のうちのいずれかを含む、ノードの機能性のいくつかの態様を提供することを担当し得る、図１１に示されている構成要素以外の追加の構成要素を含むことができる。様々な異なるタイプのネットワークノードは、同じ物理ハードウェアを有するが（たとえば、プログラミングを介して）異なる無線アクセス技術をサポートするように設定された構成要素を含み得るか、あるいは部分的にまたは完全に異なる物理構成要素を表し得る。
【０１４５】
図９および図１１に関して説明されたものと同様の、プロセッサと、インターフェースと、メモリとが、（コアネットワークノード１３０などの）他のネットワークノード中に含まれ得る。他のネットワークノードは、随意に、（図９および図１１で説明されたトランシーバなどの）無線インターフェースを含むことも含まないこともある。
【０１４６】
いくつかの実施形態では、無線アクセスノード１２０は、上記で説明されたネットワークノードの機能性を実装するように設定された一連のモジュールを備え得る。図１２を参照すると、いくつかの実施形態では、無線アクセスノード１２０は、ＮＰＲＳ設定および／またはＦＤＤ／ＴＤＤモード情報についての要求を受信するための受信モジュール６５０と、ＮＰＲＳ設定および／またはＦＤＤ／ＴＤＤモード情報を決定および送信するための設定モジュール６６０と、ＮＰＲＳ情報を送信するための送信モジュール６７０とを備えることができる。
【０１４７】
様々なモジュールが、ハードウェアおよびソフトウェア、たとえば、図１１に示されている無線アクセスノード１２０のプロセッサ、メモリおよび（１つまたは複数の）トランシーバの組合せとして実装され得ることが諒解されよう。いくつかの実施形態は、追加のおよび／または随意の機能性をサポートするための追加のモジュールをも含み得る。
【０１４８】
図１３は、いくつかの実施形態による、ロケーションサーバ１３０など、例示的なネットワークノード１３０のブロック図である。ネットワークノード１３０は、トランシーバ７１０、プロセッサ７２０、メモリ７３０、およびネットワークインターフェース７４０のうちの１つまたは複数を含み得る。いくつかの実施形態では、トランシーバ７１０は、（たとえば、（１つまたは複数の）送信機（Ｔｘ）、（１つまたは複数の）受信機（Ｒｘ）、および（１つまたは複数の）アンテナを介して）、ＵＥ１１０などの無線デバイス、および／または（１つまたは複数の）無線アクセスノード１２０および／または他のネットワークノードに無線信号を送信することと、無線デバイスおよび／または（１つまたは複数の）無線アクセスノード１２０および／または他のネットワークノードから無線信号を受信することとを容易にする。プロセッサ７２０は、ネットワークノード１３０によって提供されるものとして上記で説明された機能性の一部または全部を提供するための命令を実行し、メモリ７３０は、プロセッサ７２０によって実行される命令を記憶する。いくつかの実施形態では、プロセッサ７２０およびメモリ７３０は、処理回路要素を形成する。ネットワークインターフェース７４０は、ゲートウェイ、スイッチ、ルータ、インターネット、公衆交換電話網（ＰＳＴＮ）、コアネットワークノードまたは無線ネットワークコントローラなど、バックエンドネットワーク構成要素に信号を通信することができる。
【０１４９】
プロセッサ７２０は、上記で説明された機能など、ネットワークノード１３０の説明された機能の一部または全部を実施するために、命令を実行し、データを操作するための、ハードウェアの任意の好適な組合せを含むことができる。いくつかの実施形態では、プロセッサ７２０は、たとえば、１つまたは複数のコンピュータ、１つまたは複数の中央処理ユニット（ＣＰＵ）、１つまたは複数のマイクロプロセッサ、１つまたは複数の特定用途向け集積回路（ＡＳＩＣ）、１つまたは複数のフィールドプログラマブルゲートアレイ（ＦＰＧＡ）および／または他の論理を含み得る。
【０１５０】
メモリ７３０は、概して、コンピュータプログラム、ソフトウェア、論理、ルール、アルゴリズム、コード、テーブルなどのうちの１つまたは複数を含むアプリケーション、および／またはプロセッサ７２０によって実行されることが可能な他の命令など、命令を記憶するように動作可能である。メモリ７３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【０１５１】
いくつかの実施形態では、ネットワークインターフェース７４０は、プロセッサ７２０に通信可能に結合され、ノード１３０のための入力を受信するか、ノード１３０からの出力を送るか、入力または出力またはその両方の好適な処理を実施するか、他のデバイスに通信するか、あるいは前述の任意の組合せを行うように動作可能な任意の好適なデバイスを指し得る。ネットワークインターフェース７４０は、ネットワークを通して通信するために、適切なハードウェア（たとえば、ポート、モデム、ネットワークインターフェースカードなど）と、プロトコルコンバージョン能力およびデータ処理能力を含むソフトウェアとを含み得る。
【０１５２】
ネットワークノード１３０の他の実施形態は、上記で説明された機能性および／または（上記で説明されたソリューションをサポートするのに必要な任意の機能性を含む）任意の追加の機能性のうちのいずれかを含む、ノードの機能性のいくつかの態様を提供することを担当し得る、図１３に示されている構成要素以外の追加の構成要素を含むことができる。様々な異なるタイプのネットワークノードは、同じ物理ハードウェアを有するが（たとえば、プログラミングを介して）異なる無線アクセス技術をサポートするように設定された構成要素を含み得るか、あるいは部分的にまたは完全に異なる物理構成要素を表し得る。
【０１５３】
いくつかの実施形態では、ネットワークノード１３０は、上記で説明されたネットワークノードの機能性を実装するように設定された一連のモジュールを備え得る。図１４を参照すると、いくつかの実施形態では、ネットワークノード１３０は、セル（たとえば、無線アクセスノード）および／または無線デバイスのうちの少なくとも１つからＮＰＲＳ設定および／またはＦＤＤ／ＴＤＤモード情報を取得するための設定モジュール７５０と、少なくとも１つのＮＰＲＳ設定を送信するための送信モジュール７６０と、無線デバイスの位置／ロケーションを推定するためのロケーションモジュール７７０とを備えることができる。
【０１５４】
様々なモジュールが、ハードウェアおよびソフトウェア、たとえば、図１３に示されているネットワークノード１３０のプロセッサ、メモリおよび（１つまたは複数の）トランシーバの組合せとして実装され得ることが諒解されよう。いくつかの実施形態は、追加のおよび／または随意の機能性をサポートするための追加のモジュールをも含み得る。
【０１５５】
いくつかの実施形態は、機械可読媒体（コンピュータ可読プログラムコードが内部に具現化された、コンピュータ可読媒体、プロセッサ可読媒体、またはコンピュータ使用可能媒体とも呼ばれる）に記憶されたソフトウェア製品として表され得る。機械可読媒体は、ディスケット、コンパクトディスク読取り専用メモリ（ＣＤ−ＲＯＭ）、デジタル多用途ディスク読取り専用メモリ（ＤＶＤ−ＲＯＭ）メモリデバイス（揮発性または不揮発性）、または同様の記憶機構を含む、磁気、光、または電気的記憶媒体を含む任意の好適な有形媒体であり得る。機械可読媒体は、実行されたとき、処理回路要素（たとえば、プロセッサ）に、１つまたは複数の実施形態による方法におけるステップを実施させる、命令、コードシーケンス、設定情報、または他のデータの様々なセットを含んでいることがある。当業者は、説明された実施形態を実装するのに必要な他の命令および動作も、機械可読媒体に記憶され得ることを諒解されよう。機械可読媒体から動作するソフトウェアは、説明されたタスクを実施するために回路要素とインターフェースし得る。
【０１５６】
上記で説明された実施形態は、例にすぎないものとする。その説明の範囲から逸脱することなく、当業者によって特定の実施形態の改変、修正および変形が実現され得る。
【０１５７】
用語集
本明細書は以下の略語のうちの１つまたは複数を含み得る。
３ＧＰＰ  第３世代パートナーシッププロジェクト
ＡＣＫ  確認応答
ＡＰ  アクセスポイント
ＡＲＱ  自動再送要求
ＢＳ  基地局
ＢＳＣ  基地局コントローラ
ＢＴＳ  基地トランシーバ局
ＣＡ  キャリアアグリゲーション
ＣＣ  コンポーネントキャリア
ＣＣＣＨ  ＳＤＵ  共通制御チャネルＳＤＵ
ＣＧ  セルグループ
ＣＧＩ  セルグローバル識別子
ＣＱＩ  チャネル品質情報
ＣＳＩ  チャネル状態情報
ＤＡＳ  分散アンテナシステム
ＤＣ  デュアルコネクティビティ
ＤＣＣＨ  専用制御チャネル
ＤＣＩ  ダウンリンク制御情報
ＤＬ  ダウンリンク
ＤＭＲＳ  復調用参照信号
ｅＭＢＢ  拡張モバイルブロードバンド
ｅＮＢ  Ｅ−ＵＴＲＡＮノードＢまたはエボルブドノードＢ
ｅＰＤＣＣＨ  拡張物理ダウンリンク制御チャネル
Ｅ−ＳＭＬＣ  エボルブドサービングモバイルロケーションセンタ
Ｅ−ＵＴＲＡ  エボルブドＵＴＲＡ
Ｅ−ＵＴＲＡＮ  エボルブドＵＴＲＡＮ
ＦＤＭ  周波数分割多重化
ＨＡＲＱ  ハイブリッド自動再送要求
ＨＯ  ハンドオーバ
ＩｏＴ  モノのインターネット
ＬＴＥ  Ｌｏｎｇ−Ｔｅｒｍ  Ｅｖｏｌｕｔｉｏｎ
Ｍ２Ｍ  マシンツーマシン
ＭＡＣ  媒体アクセス制御
ＭＢＭＳ  マルチメディアブロードキャストマルチキャストサービス
ＭＣＧ  マスタセルグループ
ＭＤＴ  ドライブテスト最小化
ＭｅＮＢ  マスタｅノードＢ
ＭＭＥ  モビリティ管理エンティティ
ＭＳＣ  モバイルスイッチングセンタ
ＭＳＲ  マルチスタンダード無線
ＭＴＣ  マシン型通信
ＮＡＣＫ  否定応答
ＮＤＩ  次データインジケータ
ＮＲ  新無線
Ｏ＆Ｍ  運用および保守
ＯＦＤＭ  直交周波数分割多重
ＯＦＤＭＡ  直交周波数分割多元接続
ＯＳＳ  運用サポートシステム
ＰＣＣ  １次コンポーネントキャリア
Ｐ−ＣＣＰＣＨ  １次共通制御物理チャネル
ＰＣｅｌｌ  １次セル
ＰＣＧ  １次セルグループ
ＰＣＨ  ページングチャネル
ＰＣＩ  物理セル識別情報
ＰＤＣＣＨ  物理ダウンリンク制御チャネル
ＰＤＳＣＨ  物理ダウンリンク共有チャネル
ＰＤＵ  プロトコルデータユニット
ＰＧＷ  パケットゲートウェイ
ＰＨＩＣＨ  物理ＨＡＲＱ指示チャネル
ＰＭＩ  プリコーダ行列インジケータ
ＰｒｏＳｅ  近傍サービス
ＰＳＣ  １次サービングセル
ＰＳＣｅｌｌ  １次ＳＣｅｌｌ
ＰＵＣＣＨ  物理アップリンク制御チャネル
ＰＵＳＣＨ  物理アップリンク共有チャネル
ＲＡＴ  無線アクセス技術
ＲＢ  リソースブロック
ＲＦ  無線周波数
ＲＬＭ  無線リンク管理
ＲＮＣ  無線ネットワークコントローラ
ＲＲＣ  無線リソース制御
ＲＲＨ  リモート無線ヘッド
ＲＲＭ  無線リソース管理
ＲＲＵ  リモートラジオユニット
ＲＳＲＰ  参照信号受信電力
ＲＳＲＱ  参照信号受信品質
ＲＳＳＩ  受信信号強度インジケータ
ＲＳＴＤ  参照信号時間差
ＲＴＴ  ラウンドトリップタイム
ＳＣＣ  ２次コンポーネントキャリア
ＳＣｅｌｌ  ２次セル
ＳＣＧ  ２次セルグループ
ＳＣＨ  同期チャネル
ＳＤＵ  サービスデータユニット
ＳｅＮＢ  ２次ｅノードＢ
ＳＧＷ  サービングゲートウェイ
ＳＩ  システム情報
ＳＩＢ  システム情報ブロック
ＳＩＮＲ  信号対干渉雑音比
ＳＮＲ  信号雑音比
ＳＰＳ  半永続的スケジューリング
ＳＯＮ  自己組織化ネットワーク
ＳＲ  スケジューリング要求
ＳＲＳ  サウンディング参照信号
ＳＳＣ  ２次サービングセル
ＴＴＩ  送信時間間隔
Ｔｘ  送信機
ＵＥ  ユーザ機器
ＵＬ  アップリンク
ＵＲＬＬＣ  超高信頼低レイテンシ通信
ＵＴＲＡ  ユニバーサル地上無線アクセス
ＵＴＲＡＮ  ユニバーサル地上無線アクセスネットワーク
Ｖ２Ｖ  車両対車両
Ｖ２Ｘ  Ｖｅｈｉｃｌｅ−ｔｏ−ｅｖｅｒｙｔｈｉｎｇ
ＷＬＡＮ  無線ローカルエリアネットワーク
【図１】
2021513801.tif 000010
【図２】
2021513801.tif 000011
【図３】
2021513801.tif 000012
【図４】
2021513801.tif 000013
【図５】
2021513801.tif 000014
【図６】
2021513801.tif 000015
【図７】
2021513801.tif 000016
【図８】
2021513801.tif 000017
【図９】
2021513801.tif 000018
【図１０】
2021513801.tif 000019
【図１１】
2021513801.tif 000020
【図１２】
2021513801.tif 000021
【図１３】
2021513801.tif 000022
【図１４】
2021513801.tif 000023
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
無線デバイスによって実施される方法であって、前記方法は、
セルについての狭帯域測位参照信号（ＮＰＲＳ）設定情報を受信することであって、前記ＮＰＲＳ設定情報が、周波数分割複信（ＦＤＤ）モードについての第１のＮＰＲＳビットマップと時分割複信（ＴＤＤ）モードについての第２のＮＰＲＳビットマップとのうちの少なくとも１つを含み、ＴＤＤについての前記第２のＮＰＲＳビットマップが、ＦＤＤについての前記第１のＮＰＲＳビットマップよりも長さが短い、ＮＰＲＳ設定情報を受信することと、
前記セルがＴＤＤモードで動作すると決定したことに応答して、ＴＤＤモードについての前記第２のＮＰＲＳビットマップに従ってＮＰＲＳ設定を決定することと、
前記ＮＰＲＳ設定を使用して測定を実施することと
を含む、方法。
【請求項２】
前記無線デバイスがＴＤＤモードをサポートすることを指示する能力指示を送信することをさらに含む、請求項１に記載の方法。
【請求項３】
前記能力指示を送信することが、能力要求を受信したことに応答したものである、請求項２に記載の方法。
【請求項４】
ＴＤＤについての前記第２のＮＰＲＳビットマップは、長さが１０ビットよりも小さい、請求項１から３のいずれか一項に記載の方法。
【請求項５】
前記ＮＰＲＳ設定を決定することが、前記第２のＮＰＲＳビットマップをサブフレーム番号にマッピングすることを含む、請求項１から４のいずれか一項に記載の方法。
【請求項６】
測定を実施することが、少なくとも１つの無線アクセスノードからの到達時間（ＴＯＡ）信号を推定することを含む、請求項１から５のいずれか一項に記載の方法。
【請求項７】
測定を実施することが、観測到達時間差（ＯＴＤＯＡ）測定を決定することを含む、請求項１から６のいずれか一項に記載の方法。
【請求項８】
少なくとも１つの測定報告を送信することをさらに含む、請求項１から７のいずれか一項に記載の方法。
【請求項９】
前記無線デバイスが、狭帯域モノのインターネット（ＮＢ−ＩｏＴ）ＴＤＤダウンリンクキャリアに対して測定を実施するように設定されたＮＢ−ＩｏＴ  ＦＤＤデバイスである、請求項１から８のいずれか一項に記載の方法。
【請求項１０】
無線インターフェースと処理回路要素とを備える無線デバイスであって、
セルについての狭帯域測位参照信号（ＮＰＲＳ）設定情報を受信することであって、前記ＮＰＲＳ設定情報が、周波数分割複信（ＦＤＤ）モードについての第１のＮＰＲＳビットマップと時分割複信（ＴＤＤ）モードについての第２のＮＰＲＳビットマップとのうちの少なくとも１つを含み、ＴＤＤについての前記第２のＮＰＲＳビットマップが、ＦＤＤについての前記第１のＮＰＲＳビットマップよりも長さが短い、ＮＰＲＳ設定情報を受信することと、
前記セルがＴＤＤモードで動作すると決定したことに応答して、ＴＤＤモードについての前記第２のＮＰＲＳビットマップに従ってＮＰＲＳ設定を決定することと、
前記ＮＰＲＳ設定を使用して測定を実施することと
を行うように設定された、無線デバイス。
【請求項１１】
前記無線デバイスがＴＤＤモードをサポートすることを指示する能力指示を送信するようにさらに設定された、請求項１０に記載の無線デバイス。
【請求項１２】
前記能力指示を送信することが、能力要求を受信したことに応答したものである、請求項１１に記載の無線デバイス。
【請求項１３】
ＴＤＤについての前記第２のＮＰＲＳビットマップは、長さが１０ビットよりも小さい、請求項１０から１２のいずれか一項に記載の無線デバイス。
【請求項１４】
前記ＮＰＲＳ設定を決定することが、前記第２のＮＰＲＳビットマップをサブフレーム番号にマッピングすることを含む、請求項１０から１３のいずれか一項に記載の無線デバイス。
【請求項１５】
測定を実施することが、少なくとも１つの無線アクセスノードからの到達時間（ＴＯＡ）信号を推定することを含む、請求項１０から１４のいずれか一項に記載の無線デバイス。
【請求項１６】
測定を実施することが、観測到達時間差（ＯＴＤＯＡ）測定を決定することを含む、請求項１０から１５のいずれか一項に記載の無線デバイス。
【請求項１７】
少なくとも１つの測定報告を送信するようにさらに設定された、請求項１０から１６のいずれか一項に記載の無線デバイス。
【請求項１８】
前記無線デバイスが、狭帯域モノのインターネット（ＮＢ−ＩｏＴ）ＴＤＤダウンリンクキャリアに対して測定を実施するように設定されたＮＢ−ＩｏＴ  ＦＤＤデバイスである、請求項１０から１７のいずれか一項に記載の無線デバイス。
【請求項１９】
ネットワークノードによって実施される方法であって、前記方法は、
セルに関連付けられた、狭帯域測位参照信号（ＮＰＲＳ）設定と、周波数分割複信（ＦＤＤ）モード情報および時分割複信（ＴＤＤ）モード情報のうちの１つとを取得することと、
前記セルがＴＤＤモードで動作すると決定したことに応答して、前記セルについてのＮＰＲＳ設定情報を生成することであって、前記ＮＰＲＳ設定情報がＴＤＤモードについてのＮＰＲＳビットマップを含み、ＴＤＤについての前記ＮＰＲＳビットマップが、ＦＤＤについてのＮＰＲＳビットマップよりも長さが短い、ＮＰＲＳ設定情報を生成することと、
前記ＮＰＲＳ設定情報を無線デバイスに送信することと
を含む、方法。
【請求項２０】
前記無線デバイスがＴＤＤモードをサポートすることを指示する能力指示を受信することをさらに含む、請求項１９に記載の方法。
【請求項２１】
前記能力指示を受信することが、能力要求を送信したことに応答したものである、請求項２０に記載の方法。
【請求項２２】
前記ＮＰＲＳ設定情報を送信することが、測位要求を受信したことに応答したものである、請求項１９から２１のいずれか一項に記載の方法。
【請求項２３】
ＴＤＤモードについての前記ＮＰＲＳビットマップは、長さが１０ビットよりも小さい、請求項１９から２２のいずれか一項に記載の方法。
【請求項２４】
ＴＤＤモードについての前記ＮＰＲＳビットマップの前記長さが、ダウンリンクサブフレームの利用可能な数に少なくとも部分的に基づく、請求項１９から２３のいずれか一項に記載の方法。
【請求項２５】
前記ＮＰＲＳ設定情報は、ＮＰＲＳキャリアがアンカーキャリアであるかどうかの指示を含む、請求項１９から２４のいずれか一項に記載の方法。
【請求項２６】
ＴＤＤモードについての前記ＮＰＲＳビットマップを生成することが、ＴＤＤにおいてアップリンクのために使用されるサブフレームと、ＴＤＤのためのスペシャルサブフレームとのうちの少なくとも１つを除去することを含む、請求項１９から２５のいずれか一項に記載の方法。
【請求項２７】
ＴＤＤについての前記ＮＰＲＳビットマップを生成することが、狭帯域１次同期信号（ＮＰＳＳ）と狭帯域２次同期信号（ＮＳＳＳ）と狭帯域物理ブロードキャストチャネル（ＮＰＢＣＨ）とのうちの少なくとも１つのために使用されるサブフレームを除去することを含む、請求項１９から２６のいずれか一項に記載の方法。
【請求項２８】
受信された測定報告に従って前記無線デバイスについての測位推定値を導出することをさらに含む、請求項１９から２７のいずれか一項に記載の方法。
【請求項２９】
無線インターフェースと処理回路要素とを備えるネットワークノードであって、
セルに関連付けられた、狭帯域測位参照信号（ＮＰＲＳ）設定と、周波数分割複信（ＦＤＤ）モード情報および時分割複信（ＴＤＤ）モード情報のうちの１つとを取得することと、
前記セルがＴＤＤモードで動作すると決定したことに応答して、前記セルについてのＮＰＲＳ設定情報を生成することであって、前記ＮＰＲＳ設定情報がＴＤＤモードについてのＮＰＲＳビットマップを含み、ＴＤＤについての前記ＮＰＲＳビットマップが、ＦＤＤについてのＮＰＲＳビットマップよりも長さが短い、ＮＰＲＳ設定情報を生成することと、
前記ＮＰＲＳ設定情報を無線デバイスに送信することと
を行うように設定された、ネットワークノード。
【請求項３０】
前記無線デバイスがＴＤＤモードをサポートすることを指示する能力指示を受信するようにさらに設定された、請求項２９に記載のネットワークノード。
【請求項３１】
前記能力指示を受信することが、能力要求を送信したことに応答したものである、請求項３０に記載のネットワークノード。
【請求項３２】
前記ＮＰＲＳ設定情報を送信することが、測位要求を受信したことに応答したものである、請求項２９から３１のいずれか一項に記載のネットワークノード。
【請求項３３】
ＴＤＤモードについての前記ＮＰＲＳビットマップは、長さが１０ビットよりも小さい、請求項２９から３２のいずれか一項に記載のネットワークノード。
【請求項３４】
ＴＤＤモードについての前記ＮＰＲＳビットマップの前記長さが、ダウンリンクサブフレームの利用可能な数に少なくとも部分的に基づく、請求項２９から３３のいずれか一項に記載のネットワークノード。
【請求項３５】
前記ＮＰＲＳ設定情報は、ＮＰＲＳキャリアがアンカーキャリアであるかどうかの指示を含む、請求項２９から３４のいずれか一項に記載のネットワークノード。
【請求項３６】
ＴＤＤモードについての前記ＮＰＲＳビットマップを生成することが、ＴＤＤにおいてアップリンクのために使用されるサブフレームと、ＴＤＤのためのスペシャルサブフレームとのうちの少なくとも１つを除去することを含む、請求項２９から３５のいずれか一項に記載のネットワークノード。
【請求項３７】
ＴＤＤについての前記ＮＰＲＳビットマップを生成することが、狭帯域１次同期信号（ＮＰＳＳ）と狭帯域２次同期信号（ＮＳＳＳ）と狭帯域物理ブロードキャストチャネル（ＮＰＢＣＨ）とのうちの少なくとも１つのために使用されるサブフレームを除去することを含む、請求項２９から３６のいずれか一項に記載のネットワークノード。
【請求項３８】
受信された測定報告に従って前記無線デバイスについての測位推定値を導出するようにさらに設定された、請求項２９から３７のいずれか一項に記載のネットワークノード。
【国際調査報告】
2021513801.tif 000024
2021513801.tif 000025
2021513801.tif 000026